(57)【要約】      （修正有）【課題】干渉測定リソースを割り当てるための方法および装置を提供する。【解決手段】方法は、少なくとも１つの識別子を受信することを含み、それは、別の少なくとも１つの干渉測定リソースと部分的に重複する少なくとも１つの干渉測定リソースを少なくとも部分的に決定する。少なくとも１つの干渉測定リソースは、リソース要素のセットからの多数のリソース要素を備える。また、少なくとも１つの干渉測定リソースに少なくとも部分的に基づいて干渉を測定することを含む。【選択図】図６
2018129830.tif 000002
【特許請求の範囲】
【請求項１】
無線通信の方法であって、
前記方法は、
少なくとも１つの識別子を受信すること、そこにおいて、前記少なくとも１つの識別子は、別の少なくとも１つの干渉測定リソースと部分的に重複する少なくとも１つの干渉測定リソースを少なくとも部分的に決定し、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定すること、
を備える、
方法。
【請求項２】
前記少なくとも１つの干渉測定リソースは、前記別の少なくとも１つの干渉測定リソースのリソース要素を伴って２つより多くないリソース要素によって重複する、請求項１に記載の方法。
【請求項３】
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
請求項２に記載の方法。
【請求項４】
前記干渉を前記測定することに基づいてチャネル状態情報（ＣＳＩ）報告を決定すること、
および
前記少なくとも１つの識別子と関連する少なくとも１つのネットワークエンティティに前記ＣＳＩ報告を送信すること、
をさらに備える、請求項１に記載の方法。
【請求項５】
前記少なくとも１つの識別子のそれぞれに関して、
各識別子に、少なくとも部分的に、基づいて、リソースブロックのセットから２つのリソースブロックを選択すること、
および
各識別子に、少なくとも部分的に、基づいて、前記２つのリソースブロックから４つのリソース要素を選択すること、そこにおいて、前記干渉を前記測定することは、前記４つのリソース要素に基づく、
をさらに備える、請求項１に記載の方法。
【請求項６】
前記リソース要素のセットは、ゼロ出力チャネル状態情報参照信号（ＺＰ  ＣＳＩ−ＲＳ）リソースと関連する、請求項１に記載の方法。
【請求項７】
前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、請求項１に記載の方法。
【請求項８】
既定のサブフレームにおける前記少なくとも１つの干渉測定リソースは、前記識別子と周波数ホッピングパターンの組み合わせに基づいて決定される、請求項１に記載の方法。
【請求項９】
無線通信装置であって、
少なくとも１つの識別子を受信する、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、および、前記少なくとも１つの干渉測定リソースに少なくとも部分的に基づいて干渉を測定する、ように構成された少なくとも１つのプロセッサ、
および
データを格納するために前記少なくとも１つのプロセッサに結合されたメモリ、
を備える、装置。
【請求項１０】
前記少なくとも１つの干渉測定リソースは、前記別の少なくとも１つの干渉測定リソースのリソース要素を伴って２つより多くないリソース要素によって重複する、請求項９に記載の装置。
【請求項１１】
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
請求項１０に記載の装置。
【請求項１２】
前記少なくとも１つのプロセッサは、前記干渉を前記測定することに基づいてチャネル状態情報（ＣＳＩ）報告を決定し、および前記少なくとも１つの識別子と関連する少なくとも１つのネットワークエンティティに前記ＣＳＩ報告を送信する、ようにさらに構成される、請求項９に記載の装置。
【請求項１３】
前記少なくとも１つのプロセッサは、前記少なくとも１つの識別子のそれぞれに関して、
各識別子に、少なくとも部分的に、基づいて、リソースブロックのセットから２つのリソースブロックを選択する、および、各識別子に、少なくとも部分的に、基づいて、前記２つのリソースブロックから４つのリソース要素を選択する、そこにおいて、前記干渉を前記測定することは、前記４つのリソース要素に基づく、
ようにさらに構成される、請求項９に記載の装置。
【請求項１４】
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、請求項９に記載の装置。
【請求項１５】
無線通信装置であって、
少なくとも１つの識別子を受信するための手段、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定するための手段、
を備える、装置。
【請求項１６】
前記少なくとも１つの干渉測定リソースは、前記別の少なくとも１つの干渉測定リソースのリソース要素を伴って２つより多くないリソース要素によって重複する、請求項１５に記載の装置。
【請求項１７】
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
請求項１６に記載の装置。
【請求項１８】
前記干渉を前記測定することに基づいてチャネル状態情報（ＣＳＩ）報告を決定するための手段と、
および
前記少なくとも１つの識別子と関連する少なくとも１つのネットワークエンティティに前記ＣＳＩ報告を送信するための手段と、
をさらに備える、請求項１５に記載の装置。
【請求項１９】
各識別子に、少なくとも部分的に、基づいて、リソースブロックのセットから２つのリソースブロックを選択するための手段、
および、
前記２つのリソースブロックから４つのリソース要素を選択するための手段、そこにおいて、前記干渉を前記測定することは、前記４つのリソース要素に基づく、
をさらに備える、
請求項１５に記載の装置。
【請求項２０】
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、請求項１５に記載の装置。
【請求項２１】
コンピュータプログラムプロダクトであって、
少なくとも１つの識別子を受信すること、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定すること、
を少なくとも１つのコンピュータにさせるためのコードを備えるコンピュータ可読媒体を備える、コンピュータプログラムプロダクト。
【請求項２２】
前記少なくとも１つの干渉測定リソースは、前記別の少なくとも１つの干渉測定リソースのリソース要素を伴って２つより多くないリソース要素によって重複する、請求項２１に記載のコンピュータプログラムプロダクト。
【請求項２３】
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
請求項２２に記載のコンピュータプログラムプロダクト。
【請求項２４】
前記コンピュータ可読媒体は、
前記干渉を前記測定することに基づいてチャネル状態情報（ＣＳＩ）報告を決定すること、
および
前記少なくとも１つの識別子と関連する少なくとも１つのネットワークエンティティに前記ＣＳＩ報告を送信すること、
を前記少なくとも１つのコンピュータにさせるためのコード、
をさらに備える、
請求項２１に記載のコンピュータプログラムプロダクト。
【請求項２５】
前記コンピュータ可読媒体は、
各識別子に、少なくとも部分的に、基づいて、リソースブロックのセットから２つのリソースブロックを選択すること、
および
前記２つのリソースブロックから４つのリソース要素を選択すること、そこにおいて、前記干渉を前記測定することは、前記４つのリソース要素に基づく、
を前記少なくとも１つのコンピュータにさせるためのコード、
をさらに備える、
請求項２１に記載のコンピュータプログラムプロダクト。
【請求項２６】
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、請求項２１に記載のコンピュータプログラムプロダクト。
【請求項２７】
無線通信の方法であって、
前記方法は、
少なくとも１つのモバイルエンティティにネットワークエンティティの識別子を伝送すること、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに基づいて少なくとも１つのモバイルエンティティからチャネル状態情報（ＣＳＩ）報告を受信すること、
を備える、
方法。
【請求項２８】
前記少なくとも１つの干渉測定リソースは、別のネットワークエンティティの別の識別子によって決定された前記別の少なくとも１つの干渉測定リソースのリソース要素を伴って２つより多くないリソース要素によって重複する、請求項２７に記載の方法。
【請求項２９】
前記識別子に、少なくとも部分的に、基づいて、リソースブロックのセットから２つのリソースブロックを選択すること、
および
前記識別子に、少なくとも部分的に、基づいて、前記２つのリソースブロックから４つのリソース要素を選択すること、そこにおいて、前記受信されたＣＳＩ報告は前記４つのリソース要素にさらに基づく、
をさらに備える、請求項２７に記載の方法。
【請求項３０】
前記識別子は、列挙されたリソース割り当てのセットに基づいて少なくとも１つの干渉測定リソースを、少なくとも部分的に、決定する、請求項２７に記載の方法。
【請求項３１】
前記列挙されたリソース割り当てのセットは、サブパターンの繰り返しによって定義されたリソース割り当てを備える、請求項３０に記載の方法。
【請求項３２】
前記列挙されたリソース割り当てのセットは、サブパターンの反転によって定義されたリソース割り当てを備える、請求項３０に記載の方法。
【請求項３３】
前記少なくとも１つの識別子は、前記少なくとも１つの干渉測定リソースに関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、請求項２７に記載の方法。
【請求項３４】
前記リソース要素のセットは、ゼロ出力チャネル状態情報参照信号（ＺＰ  ＣＳＩ−ＲＳ）リソースと関連する、請求項２７に記載の方法。
【請求項３５】
無線通信装置であって、
少なくとも１つのモバイルエンティティにネットワークエンティティの識別子を伝送する、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、および、前記少なくとも１つの干渉測定リソースに基づいて少なくとも１つのモバイルエンティティからチャネル状態情報（ＣＳＩ）報告を受信する、ように構成された少なくとも１つのプロセッサ、
および、
データを格納するために前記少なくとも１つのプロセッサに結合されたメモリ、
を備える、装置。
【請求項３６】
前記少なくとも１つの干渉測定リソースは、別のネットワークエンティティの別の識別子によって決定された前記別の少なくとも１つの干渉測定リソースのリソース要素を伴って２つより多くないリソース要素によって重複する、請求項３５に記載の装置。
【請求項３７】
前記少なくとも１つのプロセッサは、
前記識別子に、少なくとも部分的に、基づいて、リソースブロックのセットから２つのリソースブロックを選択し、
および
前記２つのリソースブロックから４つのリソース要素を選択する、そこにおいて、前記受信されたＣＳＩ報告は前記４つのリソース要素にさらに基づく、
ようにさらに構成される、
請求項３５に記載の装置。
【請求項３８】
前記識別子は、列挙されたリソース割り当てのセットに基づいて少なくとも１つの干渉測定リソースを、少なくとも部分的に、決定する、請求項３５に記載の装置。
【請求項３９】
前記列挙されたリソース割り当てのセットは、サブパターンの繰り返しによって定義されたリソース割り当てを備える、請求項３８に記載の装置。
【請求項４０】
前記列挙されたリソース割り当てのセットは、サブパターンの反転によって定義されたリソース割り当てを備える、請求項３８に記載の装置。
【請求項４１】
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、請求項３５に記載の装置。
【請求項４２】
無線通信装置であって、
少なくとも１つのモバイルエンティティにネットワークエンティティの識別子を伝送するための手段、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および、
前記少なくとも１つの干渉測定リソースに基づいて少なくとも１つのモバイルエンティティからチャネル状態情報（ＣＳＩ）報告を受信するための手段、
を備える、装置。
【請求項４３】
前記少なくとも１つの干渉測定リソースは、別のネットワークエンティティの別の識別子によって決定された前記別の少なくとも１つの干渉測定リソースのリソース要素を伴って２つより多くないリソース要素によって重複する、請求項４２に記載の装置。
【請求項４４】
前記識別子に、少なくとも部分的に、基づいて、リソースブロックのセットから２つのリソースブロックを選択するための手段、
および、
前記２つのリソースブロックから４つのリソース要素を選択するための手段、そこにおいて、前記受信されたＣＳＩ報告は前記４つのリソース要素にさらに基づく、
をさらに備える、請求項４２に記載の装置。
【請求項４５】
前記識別子は、列挙されたリソース割り当てのセットに基づいて少なくとも１つの干渉測定リソースを、少なくとも部分的に、決定する、請求項４２に記載の装置。
【請求項４６】
前記列挙されたリソース割り当てのセットは、サブパターンの繰り返しによって定義されたリソース割り当てを備える、請求項４５に記載の装置。
【請求項４７】
前記列挙されたリソース割り当てのセットは、サブパターンの反転によって定義されたリソース割り当てを備える、請求項４５に記載の装置。
【請求項４８】
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、請求項４２に記載の装置。
【請求項４９】
コンピュータプログラムプロダクトであって、
ネットワークエンティティの識別子を少なくとも１つのモバイルエンティティに伝送すること、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および、
前記少なくとも１つの干渉測定リソースに基づいて少なくとも１つのモバイルエンティティからチャネル状態情報（ＣＳＩ）報告を受信すること、
を少なくとも１つのコンピュータにさせるためのコードを備えるコンピュータ可読媒体を備える、コンピュータプログラムプロダクト。
【請求項５０】
前記少なくとも１つの干渉測定リソースは、別のネットワークエンティティの別の識別子によって決定された前記別の少なくとも１つの干渉測定リソースのリソース要素を伴って２つより多くないリソース要素によって重複する、請求項４９に記載のコンピュータプログラムプロダクト。
【請求項５１】
前記コンピュータ可読媒体は、
前記識別子に、少なくとも部分的に基づいて、リソースブロックのセットから２つのリソースブロックを選択すること、
および、
前記２つのリソースブロックから４つのリソース要素を選択すること、そこにおいて、前記受信されたＣＳＩ報告は、前記４つのリソース要素にさらに基づく、
を前記少なくとも１つのコンピュータにさせるためのコードをさらに備える、
請求項４９に記載のコンピュータプログラムプロダクト。
【請求項５２】
前記識別子は、列挙されたリソース割り当てのセットに基づいて少なくとも１つの干渉測定リソースを、少なくとも部分的に、決定する、請求項４９に記載のコンピュータプログラムプロダクト。
【請求項５３】
前記列挙されたリソース割り当てのセットは、サブパターンの繰り返しによって定義されたリソース割り当てを備える、請求項５２に記載のコンピュータプログラムプロダクト。
【請求項５４】
前記列挙されたリソース割り当てのセットは、サブパターンの反転によって定義されたリソース割り当てを備える、請求項５２に記載のコンピュータプログラムプロダクト。
【請求項５５】
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、請求項４９に記載のコンピュータプログラムプロダクト。
【発明の詳細な説明】
【関連出願への相互参照】
【０００１】
[0001]本特許出願は、「ＬＴＥ（登録商標）における干渉管理リソースを割り当てるための無作為選択プロシージャ」と題される２０１２年９月２８日に出願された米国仮特許出願番号６１／７０７、８５５に対して優先権を主張し、これはこの譲受人に譲渡されており、ここでの参照によりその全体を明示的に本願明細書に組み込む。
【技術分野】
【０００２】
[0002]本開示は、無線通信における干渉測定リソースを割り当てるための通信システムおよび技術に関する。
【背景技術】
【０００３】
[0003]無線通信ネットワークは、音声、映像、パケットデータ、メッセージ送信、ブロードキャスト、などの種々の通信コンテンツを提供するために広く用いられる。これらの無線ネットワークは、使用可能なネットワークリソースを共有することによって、複数のユーザをサポート可能な複数の接続ネットワークであり得る。こういった複数の接続ネットワークの具体例は、符号分割多元接続（ＣＤＭＡ）ネットワーク、時間分割多重接続（ＴＤＭＡ）ネットワーク、周波数分割多重接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]無線通信ネットワークは、例えば、ユーザ機器（ＵＥｓ）のような多数のモバイルエンティティのための通信をサポートし得る多数の基地局を含み得る。ＵＥは、ダウンリンク（ＤＬ）およびアップリンク（ＵＬ）を介して基地局と通信し得る。ＤＬ（または、フォーワードリンク）は、基地局からＵＥまでの通信リンクを指し、ならびにＵＬ（または、リバースリンク）は、ＵＥから基地局までの通信リンクを指す。
【０００５】
[0005]第三世代パートナーシッププロジェクト（３ＧＰＰ（登録商標））ロング・ターム・エボリューションは、モバイル通信のためのグローバルシステム（ＧＳＭ（登録商標））およびユニバーサル・モバイル・テレコミュニケーション・システム（ＵＭＴＳ）の発展としてセルラー技術の大きな進歩を表している。ＬＴＥ物理レイヤ（ＰＨＹ）は、発展型Ｎｏｄｅ  Ｂｓ（ｅＮＢｓ）のような基地局とＵＥｓのようなモバイルエンティティの間のデータおよび制御情報の両方を搬送するために高効率な方法を提供する。
【０００６】
[0006]昨今、ユーザは、固定回線ブロードバンド通信をモバイルブロードバンド通信と切り替え始めており、ならびに、特にユーザの家庭またはオフィス環境において、優れた音声品質、信頼できるサービス、および低価格への要求を次第に高めてきている。インドアサービスを提供するために、ネットワークオペレータは、異なるソリューションを展開し得る。適度なトラヒックを有するネットワークに関して、オペレータは、建物内に信号を伝送するためにマクロセルラー基地局に依存し得る。しかし、建物侵入損失が高い領域において、許容可能な信号品質を維持するのが難しいことがあり得、そのため、他のソリューションが所望される。新しいソリューションは、空間およびスペクトルのような限定された無線リソースを最大限に活用することがしばしば望まれる。
【発明の概要】
【０００７】
[0007]干渉測定リソースを割り当てるための方法および装置が詳細な説明において詳述されており、特定の観点は下記に要約される。この要約および下記の詳細な説明は、統合された開示の補足部分と解釈されるべきであり、一部に冗長な主題および／または補足的な手段を含み得る。各セクションにおける省略は統合されたアプリケーションに記載された任意の要素の優先度または相対的な重要性を示すものではない。セクション間の差違はそれぞれの開示から明白であるはずであるが、代替の実施例、付加的な詳細、あるいは異なる専門用語を用いる同一の実施例の代替の説明の補足的な開示を含み得る。
【０００８】
[0008]１つの観点において、無線通信の方法は、少なくとも１つの識別子を受信することを含み、そこにおいて、少なくとも１つの識別子は、別の少なくとも１つの干渉測定リソースと部分的に重複する少なくとも１つの干渉測定リソースを少なくとも部分的に決定し、そこにおいて、少なくとも１つの干渉測定リソースは、リソース要素のセットからの多数のリソース要素を備える。この方法は、少なくとも１つの干渉測定リソースに少なくとも部分的に基づいて干渉を測定することを含む。
【０００９】
[0009]別の観点において、無線通信装置は、（ａ）少なくとも１つの識別子を受信し、そこにおいて、少なくとも１つの識別子は、別の少なくとも１つの干渉測定リソースと部分的に重複する少なくとも１つの干渉測定リソースを少なくとも部分的に決定し、そこにおいて、少なくとも１つの干渉測定リソースは、リソース要素のセットからの多数のリソース要素を備え、および（ｂ）少なくとも１つの干渉測定リソースに少なくとも部分的に基づいて干渉を測定するように構成された少なくとも１つのプロセッサを含む。この無線通信装置は、データを格納するための少なくとも１つのプロセッサに結合されたメモリを含む。
【００１０】
[0010]別の観点において、無線通信装置は、少なくとも１つの識別子を受信するための手段を含み、そこにおいて、少なくとも１つの識別子は、別の少なくとも１つの干渉測定リソースと部分的に重複する少なくとも１つの干渉測定リソースを少なくとも部分的に決定し、そこにおいて、少なくとも１つの干渉測定リソースは、リソース要素のセットからの多数のリソース要素を備える。この無線通信装置は、少なくとも１つの干渉測定リソースに少なくとも部分的に基づいて干渉を測定するための手段を含む。
【００１１】
[0011]別の観点において、コンピュータプログラムプロダクトは、少なくとも１つの識別子を受信することを少なくとも１つのコンピュータにさせるためのコードを含むコンピュータ可読媒体を含み、そこにおいて、少なくとも１つの識別子は、別の少なくとも１つの干渉測定リソースと部分的に重複する少なくとも１つの干渉測定リソースを少なくとも部分的に決定し、そこにおいて、少なくとも１つの干渉測定リソースは、リソース要素のセットからの多数のリソース要素を含む。このコンピュータ可読媒体は、少なくとも１つの干渉測定リソースに少なくとも部分的に基づいて干渉を測定することを少なくとも１つのコンピュータにさせるためのコードを含む。
【００１２】
[0012]別の観点において、無線通信の方法は、少なくとも１つのモバイルエンティティにネットワークエンティティの識別子を伝送することを含み、その識別子は、別の少なくとも１つの干渉測定リソースと部分的に重複する少なくとも１つの干渉測定リソースを少なくとも部分的に決定し、そこにおいて、少なくとも１つの干渉測定リソースは、リソース要素のセットからの多数のリソース要素を備える。この方法は、少なくとも１つの干渉測定リソースに基づいて少なくとも１つのモバイルエンティティからチャネル状態情報（ＣＳＩ）報告を受信することを含む。
【００１３】
[0013]別の観点において、無線通信装置は、（ａ）少なくとも１つのモバイルエンティティにネットワークエンティティの識別子を伝送し、この識別子は、別の少なくとも１つの干渉測定リソースと部分的に重複する少なくとも１つの干渉測定リソースを少なくとも部分的に決定し、そこにおいて、少なくとも１つの干渉測定リソースは、リソース要素のセットからの多数のリソース要素を備え、および（ｂ）少なくとも１つの干渉測定リソースに基づいて少なくとも１つのモバイルエンティティからチャネル状態情報（ＣＳＩ）報告を受信するように構成された少なくとも１つのプロセッサを含む。この無線通信装置は、データを格納するための少なくとも１つのプロセッサに結合されたメモリを含む。
【００１４】
[0014]別の観点において、無線通信装置は、少なくとも１つのモバイルエンティティにネットワークエンティティの識別子を伝送するための手段を含み、この識別子は、別の少なくとも１つの干渉測定リソースと部分的に重複する少なくとも１つの干渉測定リソースを少なくとも部分的に決定し、そこにおいて、少なくとも１つの干渉測定リソースは、リソース要素のセットからの多数のリソース要素を備える。無線通信装置は、少なくとも１つの干渉測定リソースに基づいて少なくとも１つのモバイルエンティティからチャネル状態情報（ＣＳＩ）報告を受信するための手段を含む。
【００１５】
[0015]別の側面において、コンピュータプログラムプロダクトは、少なくとも１つのモバイルエンティティにネットワークエンティティの識別子を伝送することを少なくとも１つのコンピュータにさせるためのコードを備えるコンピュータ可読媒体を含み、この識別子は、別の少なくとも１つの干渉測定リソースと部分的に重複する少なくとも１つの干渉測定リソースを少なくとも部分的に決定し、そこにおいて、少なくとも１つの干渉測定リソースは、リソース要素のセットからの多数のリソース要素を備える。コンピュータ可読媒体は、少なくとも１つの干渉測定リソースに基づいて少なくとも１つのモバイルエンティティからチャネル状態情報（ＣＳＩ）報告を受信することを少なくとも１つのコンピュータにさせるためのコードを含む。
【００１６】
[0016]他の観点は、下記の詳細な説明から当業者にとって容易に明白になることが理解され、そこにおいて、例示による種々の観点が示されおよび説明される。図面および詳細な説明は、事実上例示的であり、限定的ではないと見なされるはずである。
【図面の簡単な説明】
【００１７】
【図１】[0017]図１は、テレコミュニケーション・システムの例を概念的に示すブロック図である。
【図２】[0018]図２は、テレコミュニケーション・システムにおけるダウンリンクフレーム構造の例を概念的に示すブロック図である。
【図３】[0019]図３は、基地局／ｅＮＢおよびＵＥの設計を概念的に示すブロック図である。
【図４Ａ】[0020]図４Ａは、２つの階層プロセスを用いたリソース要素の割り当てを示す。
【図４Ｂ】[0020]図４Ｂは、２つの階層プロセスを用いたリソース要素の割り当てを示す。
【図４Ｃ】[0020]図４Ｃは、２つの階層プロセスを用いたリソース要素の割り当てを示す。
【図５Ａ】[0021]図５Ａは、２つのセルへのリソース要素の割り当てを示す。
【図５Ｂ】[0021]図５Ｂは、２つのセルへのリソース要素の割り当てを示す。
【図５Ｃ】[0022]図５Ｃは、２つのセルへのリソース要素の割り当てにおける可能な重複を示す。
【図５Ｄ】[0023]図５Ｄは、２つのセルへのリソース要素の割り当てに関する異なる重複のシナリオを示す。
【図５Ｅ】[0023]図５Ｅは、２つのセルへのリソース要素の割り当てに関する異なる重複のシナリオを示す。
【図６】[0024]図６は、干渉リソースを測定するための例示的な方法論を示す。
【図７】[0025]図７は、干渉測定リソースを割り当てるための例示的な方法論を示す。
【図８】[0026]図８は、図６の方法論に従って、干渉リソースを測定するための装置の実施例を示す。
【図９】[0027]図９は、図７の方法論に従って、干渉測定リソースを割り当てるための装置の実施例を示す。
【詳細な説明】
【００１８】
[0028]添付の図面に関連して、下記に記載される詳細な説明は、種々の構成の説明が意図されており、ここで説明された概念が実施され得る構成のみを提示することを意図したものではない。詳細な説明は、種々の概念の全体の理解を提供すことを目的する特定の詳細を含む。しかし、これらの概念は、これらの特定の詳細が無くても実施され得ることは当業者にとって明らかである。いくつかの例において、周知の構造および構成要素は、こういった概念を不明瞭にすることを避けるために、ブロック図形式で示されている。
【００１９】
[0029]ここに記載された技術は、ＣＤＭＡ、ＴＤＭＡ、ＦＤＭＡ、ＯＦＤＭＡ、ＳＣ−ＦＤＭＡおよび他のネットワークのような種々の無線通信ネットワークに用いられ得る。用語「ネットワーク」および「システム」は、しばしば置換可能に用いられる。ＣＤＭＡネットワークは、地上無線アクセス（ＵＴＲＡ）、ｃｄｍａ２０００、などのような無線技術を実施し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５およびＩＳ−８５６の標準をカバーする。ＴＤＭＡネットワークは、モバイル通信のためのグローバルシステム（ＧＳＭ）のような無線技術を実施し得る。ＯＦＤＭＡネットワークは、発展型ＵＴＲＡ（Ｅ−ＵＴＲＡ）、ウルトラモバイルブロードバンド（ＵＭＢ）、ＩＥＥＥ  ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡ、などのような無線技術を実施し得る。ＵＴＲＡおよびＥ−ＵＴＲＡは、ユニバーサル・モバイル電気通信システム（ＵＭＴＳ）の一部である。３ＧＰＰ長期発展（ＬＴＥ）およびＬＴＥ−発展型（ＬＴＥ−Ａ）は、Ｅ−ＵＴＲＡを用いるＵＭＴＳの新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名の組織からの文書に記載されている。ＣＤＭＡ２０００およびＵＭＢは、「第３世代パートナーシッププロジェクト２」（３ＧＰＰ２）という名の組織からの文書に記載されている。ここに記載された技術は、他の無線ネットワークおよび無線技術と同様に上述した無線ネットワークおよび無線技術に用いられ得る。明確のために、本技術の特定の観点は、ＬＴＥに関して下記に説明され、ならびにＬＴＥの専門用語は、下記の多くの説明で用いられる。
【００２０】
[0030]図１は、無線通信ネットワーク１００を示し、それは、ＬＴＥネットワークであり得る。無線ネットワーク１００は、多数のｅＮＢｓ１１０および他のネットワークエンティティを含み得る。ｅＮＢは、ＵＥｓと通信を行う局であり得、また、基地局、Ｎｏｄｅ  Ｂ、アクセスポイント、または他の用語で表され得る。各ｅＮＢ１１０ａ、１１０ｂ、１１０ｃは、特定の地理的領域に通信カバレッジを提供し得る。３ＧＰＰにおいて、用語「セル」は、用語が使われる文脈に依存して、このカバレッジ領域にサービスするｅＮＢおよび／またはｅＮＢサブシステムのカバレッジ領域を指す。
【００２１】
[0031]ｅＮＢは、通信カバレッジをマクロセル、ピコセル、フェムトセル、および／または他のタイプのセルに提供し得る。マクロセルは、比較的大きい地理的領域（例えば、半径数キロメートル）をカバーし得、およびサービス加入を伴うＵＥｓによる無制限のアクセスを可能にし得る。ピコセルは、比較的小さい地理的領域をカバーし得、およびサービス加入を伴うＵＥｓによる無制限のアクセスを可能にし得る。フェムトセルは、比較的小さい地理的領域（例えば、家庭）をカバーし得、およびフェムトセルと関係を有するＵＥｓによる制限されたアクセスを可能にし得る（例えば、クロ−ズド加入者グループ（ＣＳＧ）内のＵＥｓ、家庭内のユーザに関するＵＥｓ、など）。マクロセル用のｅＮＢは、マクロｅＮＢと称され得る。ピコセル用のｅＮＢは、ピコｅＮＢと称され得る。フェムトセル用のｅＮＢは、フェムトｅＮＢまたは家庭用ｅＮＢ（ＨＮＢ）と称され得る。図１に示された例において、ｅＮＢｓ１１０ａ、１１０ｂおよび１１０ｃは、それぞれ、マクロセル１０２ａ、１０２ｂおよび１０２ｃのためのマクロｅＮＢｓであり得る。ｅＮＢ１１０ｘは、ピコセル１０２ｘのためのピコｅＮＢであり得る。ｅＮＢｓ１１０ｙおよび１１０ｚは、それぞれ、フェムトセル１０２ｙおよび１０２ｚのためのフェムトｅＮＢｓであり得る。ｅＮＢは、１つまたは複数の（例えば、３つの）セルをサポートし得る。
【００２２】
[0032]無線ネットワーク１００はまた、中継局１１０ｒを含み得る。中継局は、アップストリーム局（例えば、ｅＮＢまたはＵＥ）からのデータおよび／または他の情報の伝送を受信し、およびダウンストリーム局（例えば、ＵＥまたはｅＮＢ）へのデータおよび／または他の情報の伝送を送信する局である。中継局はまた、他のＵＥｓへの伝送を中継するＵＥであり得る。図１に示された例において、中継局１１０ｒは、ｅＮＢ１１０ａとＵＥ１２０ｒの間の通信を容易にするためにｅＮＢ１１０ａおよびＵＥ１２０ｒと通信を行ない得る。中継局はまた、リレーｅＮＢ、リレー、などと称され得る。
【００２３】
[0033]無線ネットワーク１００は、異なるタイプのｅＮＢｓ、例えば、マクロｅＮＢｓ、ピコｅＮＢｓ、フェムトｅＮＢｓ、リレー、などを含む異機種（ヘテロジニアス、heterogeneous）ネットワークであり得る。これらの異なるタイプのｅＮＢｓは、異なる伝送電力レベル、異なるカバレッジ領域、および無線ネットワーク１００における干渉への異なる影響を有し得る。例えば、マクロｅＮＢｓは、高い伝送電力レベル（例えば２０ワット）を有し得るが、その一方で、ピコｅＮＢｓ、フェムトｅＮＢｓおよびリレーは、より低い伝送電力レベル（例えば１ワット）を有し得る。
【００２４】
[0034]無線ネットワーク１００は、同期または非同期動作をサポートし得る。同期動作に関して、ｅＮＢｓは、同様のフレームタイミングを有し得、および異なるｅＮＢｓからの伝送は時間内に（in time）およそ整列（align）される。非同期動作に関して、ｅＮＢｓは、異なるフレームタイミングを有し得、および異なるｅＮＢｓからの伝送は時間内に整列されない。ここに記載された技術は、同期動作および非同期動作の両方に用いられ得る。
【００２５】
[0035]ネットワークコントローラ１３０は、ｅＮＢｓのセットに結合され得、およびこれらのｅＮＢｓに関して調整および制御をもたらす。ネットワークコントローラ１３０は、バックホールを介してｅＮＢｓ１１０と通信を行い得る。ｅＮＢｓ１１０はまた、無線または有線のバックホールを介して、例えば、直接的または間接的に、相互に通信を行い得る。
【００２６】
[0036]ＵＥｓ１２０は、無線ネットワーク１００全体に分散していても良く、また各ＵＥは、据え付けであるかまたは移動可能であり得る。ＵＥはまた、端末、移動局、加入者ユニット、局、などと称され得る。ＵＥは、セルラーフォン、個人用デジタル補助装置（ＰＤＡ）、無線モデム、無線通信デバイス、ハンドヘルドデバイス、ラップトップコンピュータ、コードレスフォン、無線ローカルループ（ＷＬＬ）局、または他のモバイルエンティティと称され得る。ＵＥは、マクロｅＮＢｓ、ピコｅＮＢｓ、フェムトｅＮＢｓ、リレー、または他のネットワークエンティティと通信を行い得る。図１において、双矢印を有する実線は、ＵＥとサービスｅＮＢの間の望まれる伝送を示し、それは、ダウンリンクおよび／またはアップリンク上の該ＵＥにサービスするために指定されたｅＮＢである。双矢印を有する点線は、ＵＥとｅＮＢの間の干渉伝送を示す。
【００２７】
[0037]ＬＴＥは、ダウンリンク上の直交周波数分割多重（ＯＦＤＭ）とアップリンク上の単一搬送周波数分割多重（ＳＣ−ＦＤＭ）を利用する。ＯＦＤＭおよびＳＣ−ＦＤＭは、複数（Ｋ）の直交サブキャリアにシステム帯域幅を分割し、それは、通常、トーン、ビン、などと称される。各サブキャリアは、データを用いて変調され得る。一般に、変調シンボルは、ＯＦＤＭを用いる周波数領域とＳＣ−ＦＤＭを用いる時間領域において送信される。隣接するサブキャリアの間の空間は固定され得、およびサブキャリアの総数（Ｋ）は、システム帯域幅に依存し得る。例えば、Ｋは、それぞれ１．２５、２．５、５、１０または２０メガヘルツ（ＭＨｚ）のシステム帯域幅について、１２８、２５６、５１２、１０２４または２０４８に等しくなり得る。システム帯域幅はまた、サブバンドに分割され得る。例えば、サブバンドは、１．０８ＭＨｚをカバーし得、および、それぞれ１．２５、２．５、５、１０または２０ＭＨｚのシステム帯域幅について、１、２、４、８または１６のサブバンドが存在し得る。
【００２８】
[0038]図２は、ＬＴＥで用いられるダウンリンクフレーム構造を示す。ダウンリンクのための伝送タイムラインは、無線フレームのユニットに分割され得る。各無線フレーム、例えば、フレーム２０２は、所定の持続期間（例えば、１０ミリ秒（ＭＳ））を有し得、および０から９までのインデックスを持つ１０個のサブフレーム２０４に分割され得る。各サブフレーム、例えば、「サブフレーム０」２０６は、２つのスロット、例えば、「スロット０」２０８と「スロット１」２１０を含み得る。各無線フレームは、０から１９までのインデックスを持つ２０個のスロットを含み得る。各スロットは、Ｌ個のシンボル期間、例えば、図２に示されるように、通常のサイクリックプレフィックス（ＣＰ）に関して７個のシンボル期間２１２、あるいは、拡張されたサイクリックプレフィックスに関して６個のシンボル期間、が含まれ得る。通常のＣＰと拡張ＣＰは、異なるＣＰタイプとしてここで参照され得る。各サブフレームにおける２Ｌシンボル期間は、０から２Ｌ−１までのインデックスに割り当てられ得る。使用可能な時間周波数リソースは、リソースブロックに分割され得る。各リソースブロックは、１つのスロット内のＮ個のサブキャリア（例えば、１２個のサブキャリア）をカバーし得る。
【００２９】
[0039]ＬＴＥにおいて、ｅＮＢは、ｅＮＢにおける各セルに関してプライマリー同期信号（ＰＳＳ）とセカンダリー同期信号（ＳＳＳ）を送信し得る。プライマリーおよびセカンダリー同期信号は、図２に示されたように、通常のサイクリックプレフィックスを用いて、各無線フレームのサブフレーム０および５のそれぞれにおけるシンボル期間６と５にそれぞれ送信され得る。同期信号は、セルの検出および取得のためにＵＥｓによって用いられ得る。ｅＮＢは、サブフレーム０のスロット１におけるシンボル期間０から３において物理ブロードキャストチャネル（ＰＢＣＨ）を送信し得る。ＰＢＣＨは、特定のシステム情報を搬送し得る。
【００３０】
[0040]図２において第１のシンボル期間２１４全体に描かれているが、各サブフレームの第１のシンボル期間の一部のみに物理制御フォーマットインジケータチャネル（ＰＣＦＩＣＨ）を、ｅＮＢは、送信し得る。ＰＣＦＩＣＨは、制御チャネルに用いられるシンボル期間の数（Ｍ）を搬送し得、そこにおいて、Ｍは、１、２または３と等しくなり得、およびサブフレームからサブフレームに変化し得る。Ｍは、例えば、１０個未満のリソースブロックを有する小さいシステム帯域幅では４と等しくなり得る。図２に示された例において、Ｍ＝３である。ｅＮＢは、各サブフレームの第１のＭシンボル期間において、物理ＨＡＲＱインジケータチャネル（ＰＨＩＣＨ）と物理ダウンリンク制御チャネル（ＰＤＣＣＨ）を送信し得る（図２においてＭ＝３）。ＰＨＩＣＨは、ハイブリッド自動再伝送（ＨＡＲＱ）をサポートするための情報を搬送し得る。ＰＤＣＣＨは、ＵＥｓに関するリソース割当てに関する情報を搬送し、およびダウンリンクチャネルに関する情報を制御し得る。図２における第１のシンボル期間には図示されていないが、ＰＤＣＣＨとＰＨＩＣＨはまた、第１のシンボル期間にも含まれることが理解される。同様に、ＰＨＩＣＨおよびＰＤＣＣＨはまた、図２には示されていないが、第２および第３のシンボル期間の両方に存在する。ｅＮＢは、各サブフレームの残りのシンボル期間において物理ダウンリンク共有チャネル（ＰＤＳＣＨ）を送信し得る。ＰＤＳＣＨは、ダウンリンク上のデータ伝送のためにスケジュールされたＵＥｓにデータを搬送し得る。ＬＴＥにおける種々の信号およびチャネルは、公的に使用可能な「発展型地上無線アクセス（Ｅ−ＵＴＲＡ）；物理チャネルと変調」と題される３ＧＰＰ  ＴＳ３６．２１１において説明されている。
【００３１】
[0041]ｅＮＢは、ｅＮＢによって使用されるシステム帯域幅の中心１．０８ＭＨｚにおいてＰＳＳ、ＳＳＳおよびＰＢＣＨを送信し得る。ｅＮＢは、これらのチャネルが送信される各シンボル周期におけるシステム帯域幅全体にわたってＰＣＦＩＣＨとＰＨＩＣＨを送信し得る。ｅＮＢは、システム帯域幅の特定の部分におけるＵＥのグループにＰＤＳＣＨを送信し得る。ｅＮＢは、システム帯域幅の特定の部分における特定のＵＥにＰＤＳＣＨを送信し得る。ｅＮＢは、全てのＵＥにブロードキャスト方式でＰＳＳ、ＳＳＳ、ＰＢＣＨ、ＰＣＦＩＣＨおよびＰＨＩＣＨを送信し得、特定のＵＥにユニキャスト方法でＰＤＣＣＨを送信し得、および特定のＵＥにユニキャスト方式でＰＤＳＣＨを送信もし得る。
【００３２】
[0042]ＵＥは、複数のｅＮＢのカバレッジの内に存在し得る。これらのｅＮＢのうちの１つは、ＵＥにサービスするために選択され得る。そのサービスｅＮＢは、受信された電力、経路損失、信号雑音比（ＳＮＲ）、などの種々の基準に基づいて選択され得る。
【００３３】
[0043]図３は、基地局／ｅＮＢ１１０およびＵＥ１２０の設計のブロック図を示し、それらは、図１における基地局／ｅＮＢのうちの１つおよびＵＥのうちの１つであり得る。限定された関連シナリオに関して、基地局１１０は、図１におけるマクロｅＮＢ１１０ｃであり得、およびＵＥ１２０は、ＵＥ１２０ｙであり得る。基地局１１０はまた、フェムトセル、ピコセル、などを含むアクセスポイントのようないくつかの他のタイプの基地局であり得る。基地局１１０は、アンテナ３３４ａから３３４ｔを装備し得、およびＵＥ１２０は、アンテナ３５２ａから３５２ｒを装備し得る。
【００３４】
[0044]基地局１１０において、伝送プロセッサ３２０は、データソース３１２からのデータとコントローラ／プロセッサ３４０からの制御情報を受信し得る。制御情報は、ＰＢＣＨ、ＰＣＦＩＣＨ、ＰＨＩＣＨ、ＰＤＣＣＨ、などに関し得る。データは、ＰＤＳＣＨ、などに関し得る。プロセッサ３２０は、それぞれデータシンボルおよび制御シンボルを取得するために、データと制御情報を処理し得る（例えば、エンコードおよびシンボルマップする）。プロセッサ３２０はまた、例えば、ＰＳＳ、ＳＳＳ、およびセル特定参照信号に関する参照記号を生成し得る。伝送（ＴＸ）多重入力／多重出力（ＭＩＭＯ）プロセッサ３３０は、適用可能な場合、データシンボル、制御シンボル、および／または参照シンボル上で空間処理（例えば、プレコーディング）を実行し得、およびモジュレータ（ＭＯＤｓ）３３２ａから３３２ｔに出力シンボルストリームを提供し得る。各変調装置３３２は、出力サンプルストリームを取得するために（例えば、ＯＦＤＭ等に関する）各出力シンボルストリームを処理し得る。各変調装置３３２は、ダウンリンク信号を取得するために出力サンプルストリームをさらに処理（例えば、アナログへ変換する、増幅する、フィルターをかける、およびアップコンバートする）し得る。モジュレータ３３２ａないし３３２ｔからのダウンリンク信号は、それぞれアンテナ３３４ａないし３３４ｔを介して伝送され得る。
【００３５】
[0045]ＵＥ１２０において、アンテナ３５２ａから３５２ｒまでは、基地局１１０からダウンリンク信号を受信し得、およびそれぞれ復調装置（ＤＥＭＯＤｓ）３５４ａから３５４ｒに受信信号を提供し得る。各復調装置３５４は、入力サンプルを取得するために、各受信信号を調整（例えば、フィルターをかける、増幅する、ダウンコンバートする、およびデジタル化する）し得る。各復調装置３５４は、受信シンボルを取得するために（例えば、ＯＦＤＭ、などのために）入力サンプルをさらに処理し得る。ＭＩＭＯ検出器３５６は、復調装置３５４ａから３５４ｒまでの全てから受信シンボルを取得し、適用可能な場合、受信シンボル上でＭＩＭＯ検出を実行し、および検出されたシンボルを提供し得る。受信プロセッサ３５８は、検出されたシンボルを処理（例えば、復調、デインタリーブ、および復号）し、データ受信装置（Data Sink）３６０にＵＥ１２０に関する復号データを提供し、およびコントローラ／プロセッサ３８０に復号された制御情報を提供し得る。
【００３６】
[0046]アップリンク上で、ＵＥ１２０において、伝送プロセッサ３６４は、データソース３６２からのデータ（例えば、ＰＵＳＣＨに関する）およびコントローラ／プロセッサ３８０からの制御情報（例えば、ＰＵＣＣＨに関する）を受信および処理し得る。プロセッサ３６４はまた、参照信号に関する参照シンボルを生成し得る。伝送プロセッサ３６４からのシンボルは、適用可能な場合ＴＸ  ＭＩＭＯプロセッサ３６６によってプレコードされ、変調装置３５４ａから３５４ｒによってさらに処理され（例えば、ＳＣ−ＦＤＭ、などに関する）、および基地局１１０に伝送される。基地局１１０において、ＵＥ１２０からのアップリンク信号は、アンテナ３３４によって受信され、復調装置３３２によって処理され、適用可能な場合、ＭＩＭＯ検出器３３６によって検出され、およびＵＥ１２０によって送信された制御情報と復号されたデータを取得するために受信プロセッサ３３８によってさらに処理され得る。プロセッサ３３８は、データ受信装置３３９に復号されたデータを提供しおよびコントローラ／プロセッサ３４０に復号された制御情報を提供し得る。
【００３７】
[0047]コントローラ／プロセッサ３４０および３８０はそれぞれ、基地局１１０とＵＥ１２０における動作を管理し得る。基地局１１０におけるプロセッサ３４０および／または他のプロセッサおよびモジュールは、ここに記載された技術に関する種々のプロセスの実行を行うか、あるいは管理し得る。ＵＥ１２０におけるプロセッサ３８０および／または他のプロセッサおよびモジュールはまた、機能ブロックおよび／またはここに記載された技術に関する他のプロセスの実行を行うか、あるいは管理し得る。メモリ３４２および３８２は、それぞれ、基地局１１０とＵＥ１２０に関するデータとプログラムコードを格納し得る。スケジューラ３４４は、ダウンリンクおよび／またはアップリンク上のデータの伝送のためにＵＥをスケジュールし得る。
【００３８】
[0048]１つの構成において、無線通信に関するＵＥ１２０は、ＵＥの接続モードの間に干渉基地局からの干渉を検出するための手段と、干渉基地局にもたらされたリソースを選択するための手段と、該もたらされたリソース上の物理ダウンリンク制御チャネルの誤り率を取得するための手段と、および、無線リンク障害を明らかにするために、所定のレベルを超える誤り率に応じて実行可能な手段を含む。１つの観点において、前述の手段は、前述の手段によって列挙された機能を実行するように構成されたプロセッサ（単数または複数）、コントローラ／プロセッサ３８０、メモリ３８２、受信プロセッサ３５８、ＭＩＭＯ検出器３５６、復調装置３５４ａ、およびアンテナ３５２ａであり得る。別の観点において、前述の手段は、前述の手段によって列挙された機能を実行するように構成されたモジュールまたは何かしらの装置であり得る。
【００３９】
[0049]本開示の１つまたは複数の実施例に従って、ＬＴＥにおける干渉測定リソースの割り当てのための技術が提供される。ＬＴＥ  Ｒｅｌ−１１干渉測定リソースの割り当ては、いくつかの場合において望ましくなくなり得る入念なネットワークプランニングを必要とし得る。本開示は、ネットワークプランニングのその必要性を回避する（仮想）セルＩＤに基づいてこの割り当てを実行するために疑似ランダムプロシージャを提示する。
【００４０】
[0050]ＬＴＥは、新しく導入された専用リソース上で干渉測定をサポートし得る。
専用リソースは、ＬＴＥ  Ｒｅｌ−１１の仕様において、「干渉測定リソース（ＩＭＲ）」として紹介されている。ＩＭＲは、処理系依存の方法においてＵＥが干渉を測定するリソース要素（ＲＥｓ）のセットを表す。ＩＭＲは、４ポートゼロ出力チャネル状態情報参照信号（ＺＰ−ＣＳＩ−ＲＳ）リソースによって付与され得る。ネットワークは、ＩＭＲ上で生成／測定された干渉が、実際のＰＤＳＣＨの伝送の間にＵＥが遭遇することになる干渉の代表であることを保証することを担い得る。ネットワークによるＩＭＲの割当ては、２つのパラダイムに従い得る。１つのパラダイムにおいて、ＩＭＲｓの賢明な割り当ては入念なネットワークプランニングに基づき得る。これは、著しいプランニング努力を要求し得るが、ＩＭＲｓが特定の干渉仮説のために最適化され得るように、素晴らしい成果を実現し得る。第２のパラダイムにおいて、ＩＭＲｓの割り当ては、ネットワークプランニングなしで無作為選択された割り当てに基づき得る。ＩＭＲｓの割り当ては、セルＩＤの形式に基づき得る（下記に詳述する）。この割り当ては、ネットワークプランニングの必要性を回避する。良好な成果は、割り当てプロシージャがＩＭＲｓの間の望まれない重複を避ける限り実現され得る。
【００４１】
[0051]無作為選択無しに、ＩＭＲは、１つのＺＰ−ＣＳＩ−ＲＳリソースによって定義された４つのリソース要素から構成され得る。ＩＭＲの割り当ては、２つのＺＰ−ＣＳＩ−ＲＳリソースを選択することおよび該２つのＺＰ−ＣＳＩ−ＲＳリソースによって定義された８つのリソース要素（ＲＥｓ）の間にＩＭＲの４つのリソース要素（ＲＥｓ）を分配することによって実行され得る。８つのリソース要素から４つのリソース要素の割り当てがどのように実行されるべきかを決定すること無しに、２つのＩＭＲｓが望ましくない３つあるいはそれより多くのリソース要素（ＲＥｓ）によって重複し得る可能性がある。さらに、シグナリングが、ＩＭＲｓの割り当てのために決定される必要があり得る。
【００４２】
[0052]これらの欠点を避けるために、実施例において、ＩＭＲｓの割り当てが（仮想）セルＩＤに結び付けられ得る。また、任意の２つのＩＭＲｓが多くても２つのリソース要素（ＲＥｓ）によって重複し得るように設計され得る。この方法は、ＩＭＲｓと関連するプランニングの労力を最小にする。上述したとおり、干渉測定に使用されるリソース要素（ＲＥｓ）の選択は、セルＩＤのいくつかの形式に基づき得る。可能な選択肢は、
各ＩＭＲが、新しい仮想セルＩＤ（例えば、０−５０３の範囲内）と関連し得ること、
各ＩＭＲが、構成されたインデックスをもつ非ゼロ出力チャネル状態情報参照信号（ＮＺＰ−ＣＳＩ−ＲＳ）と同じ仮想セルＩＤを使用し得ること、
あるいは、
ＩＭＲが、サービングセルの物理セルＩＤを使用し得ること（これは、同じセルのシナリオにおいてよろしくないかもしれないことが留意される）、
を含み得る。
【００４３】
[0053]時間領域ホッピングは、サブフレーム毎の基準で変化するリソース要素の選択によって有益に採用され得る。（上述されたような）ＩＭＲリソース要素を構成するセルＩＤは、サブフレーム依存であり得、すなわち、これは、サブフレームからサブフレームへ変化し得る。一連のセルＩＤの値は、信号伝達されたまたは所定のホッピングパターンに従い得る。代わりに、既定のサブフレームにおけるセルＩＤは、サブフレーム番号（またはそれらのいくつかの関数）を信号伝達されたベースラインセルＩＤ（セルＩＤの最大範囲を法とする）に加えることに基づいて抽出され得る。別の設計目的は、異なる仮想セルＩＤと関連するＩＭＲリソース要素の間の最悪の場合の重複を最小化することであり得る。ここでの実施例は、２つのリソース要素（ＲＥｓ）からなる最悪の場合の重複を対象とする。
【００４４】
[0054]図４Ａ−Ｃは、２つの階層プロセスを用いるリソース要素の割り当てを示す。
ＩＭＲの無作為選択は２つの階層から構成され得る。図４Ａに例示されたのは、階層１であり、そこにおいて全部で１０個のＺＰ−ＣＳＩ−ＲＳリソースから２つが選択される。
図４Ａの例において、インデックス０から９までの１０個のＺＰ−ＣＳＩ−ＲＳリソースが示される。１と３のインデックス値をもつ２つのリソースが選択される。２つのリソースは、パターン２の２つのブロックを使用する（図４Ｂに示される）。各ＺＰ−ＣＳＩ−ＲＳリソースは、ＬＴＥの仕様書にあるような４つのリソース要素から成るブロックによって定義される。１０個のうちから２つを選出することで、４５の異なる組み合わせが生じる（１０Ｃ２（ten choose two））。図４Ｂに例示されたのは階層２であり、ここにおいて、賢明なリソース要素の割り当てが実行される。２つの選択されたＺＰ−ＣＳＩ−ＲＳ内の賢明なリソース要素の割り当ては、例示されたような「コードブック」に従って調達（resource）する。パターンの２つのペアが２つより多いリソース要素によって重複することはない。
【００４５】
[0055]階層２のパターンの構成（図４Ｂ−Ｃに例示されたような）は、列挙に基づき得る。例えば、奇数番号が付されたパターンの列挙（すなわち、パターン１、３、５、７、９、１１）は、
【００４６】
【数１】
2018129830.tif 000003
【００４７】
によって定義され、そこにおいて、
【００４８】
【数２】
2018129830.tif 000004
【００４９】
は、リソースブロックへの２つのリソースの割り当てを定義する。４つのリソース要素をもつリソースブロックへ２つのリソースを割り当てる６つの可能な方法が存在する。（４Ｃ２（four choose two））
【００５０】
【数３】
2018129830.tif 000005
【００５１】
は、第２の（または右側の）リソースブロックにおいて繰り返された第１の（または左側の）リソースブロックにおけるサブパターン
【００５２】
【数４】
2018129830.tif 000006
【００５３】
を用いて２つのリソースブロックを定義する。例えば、偶数番号が付されたパターンの列挙（すなわち、パターン２、４、６、８、１０、１２）は、
【００５４】
【数５】
2018129830.tif 000007
【００５５】
によって定義され得る。
【００５６】
【数６】
2018129830.tif 000008
【００５７】
は、
【００５８】
【数７】
2018129830.tif 000009
【００５９】
の補数または反転である。従って、
【００６０】
【数８】
2018129830.tif 000010
【００６１】
は、第２の（または右側の）リソースブロックにおいて反転された第１の（または左側の）リソースブロックにおけるサブパターン
【００６２】
【数９】
2018129830.tif 000011
【００６３】
を用いて２つのリソースブロックを定義する。奇数番号が付されたパターンにおいて、４ｃｈｏｏｓｅ２
【００６４】
【数１０】
2018129830.tif 000012
【００６５】
の組み合わせ＝６すなわち、（（１、２）、（１、３）、（１、４）、（２、３）、（２、４）、（３、４））がある。偶数番号を付されたパターンにおいて、同じく４ｃｈｏｏｓｅ２
【００６６】
【数１１】
2018129830.tif 000013
【００６７】
の組み合わせ＝６がある。奇数および偶数番号を付されたパターンの合計数は、
【００６８】
【数１２】
2018129830.tif 000014
【００６９】
である。
【００７０】
[0056]上記の割り当てプロセスは、２つより多くないリソース要素が重複するという設計制約を満足し得る。階層１において選択された１０個のパターンからの２つが同じでない場合、階層２のパターンの選択にかかわらず、３つ以上のリソース要素が重複することは起こり得ない（階層２のパターンが同じであっても）。これは、階層２のパターンのいずれかに関して、それぞれ半分が２つのリソース要素のみを含んでいるからである。階層１において選択された１０個のパターンからの２つが同じ場合、階層の２の２つのパターンの任意のペアは、多くても２つのリソース要素の重複を有するだけなので、制約はまた満足される。
【００７１】
[0057]図５Ａ−Ｂは、２つのセルのためのリソース要素の割り当てを例示する。第１のセルは、図５Ａにおいて、図４Ｂのパターン２を用いて、インデックス１と３におけるＺＰ−ＣＳＩ−ＲＳリソースのために選択される。第２のセルは、図５Ｂにおいて、図４Ｂのパターン４を用いて、インデックス１と６におけるＺＰ−ＣＳＩ−ＲＳリソースのために選択される。第１および第２のセルのための階層１の選択は、したがって、１つの共通または重複するブロック（インデックス１におけるリソース）をもつ。ＺＰ−ＣＳＩ−ＲＳリソースは、図５Ｃに例示されたように、リソースインデックス１において重複し得る。この例において、１つのリソース要素（ＲＥ）は、インデックス１のＺＰ−ＣＳＩ−ＲＳリソースにおいて重複する（図５Ｃの「ＯＶＥＲＬＡＰ」に示された）。図５Ｄは、階層１のブロックに重複が無い場合の例を示し、ならびに図５Ｅは、階層１の両方のブロックが重複する場合の例を示す。
【００７２】
[0058]図５Ｄにおいて、階層１のプロセスにおけるセルは、２つの重複しないリソースブロックを選択した。例えば、第１のセルは、インデックス１と３においてリソースブロックを選択した。第２のセルは、インデックス２と６においてリソースブロックを選択した。階層２に関して、第１のセルはパターン２を選択し、ならびに第２のセルはパターン４を選択した。この例において、階層１のリソースブロックは重複しないので、２つのセルに関していかなる重複するリソース要素も存在し得ない。したがって、階層１のブロックが重複しないケースにおいて、重複し得るリソース要素はなく、２つより多くない重複するリソース要素という制約が満足される。
【００７３】
[0059]図５Ｅにおいて、階層１のプロセスにおけるセルは、２つの重複するリソースブロックを選択した。例えば、第１のセルは、インデックス１と３におけるリソースブロックを選択した。第２のセルは、インデックス１と３におけるリソースブロックを選択した。階層２に関して、第１のセルは、パターン２を選択し、ならびに第２のセルはパターン４を選択した。この例において、階層１の両方のリソースブロック（インデックス１および３）が重複する。ブロック内のリソース要素が無作為に選択された場合、リソース要素は、０から４のリソース要素のいずれかの数で重複し得る。しかし、階層２のリソース要素は、図４Ｂおよび４Ｃにおけるパターン１からパターン１２までで示されたように賢明に割り当てられるので、図５Ｅにおけるリソース要素は、２より多くのリソース要素によって重複し得ない。インデックス１におけるリソースブロックは、上左隅における重複を有する。インデックス３におけるリソースブロックは、下右隅における重複を有する。これによって、２つだけのリソース要素（ＲＥｓ）の重複が生じ、および２つより多くない重複するリソース要素という制約が満足される。
【００７４】
[0060]実現可能な再利用因子（reuse factor）が無作為選択の実現可能な程度を反映する。４５個の階層１のパターンが存在する。１２個の階層２のパターンが存在する。階層１と階層２のパターンの組み合わせは、４５×１２＝５４０の可能な選択肢をもたらし、それは、５０４（セルＩＤの範囲）より多い。したがって、セルＩＤの範囲よりも多いリソース割り当ての組み合わせが存在し得る。
【００７５】
[0061]特定のＩＭＲ仮想セルＩＤから階層１と階層２のパターンへのマッピングすることは列挙されたものを介して実行され得る。例えば、仮想セルＩＤ＝ｘだと仮定する。階層１のパターンのインデックスは、関数：ｆｌｏｏｒ（ｘ／１２）によって付与される。フロア関数は、値よりも大きくない最大の整数を付与する。例えば、２．５のフロア関数は２である。階層２のパターンのインデックスは、関数：ｍｏｄ（ｘ／１２）によって付与される。モジュロ（またはｍｏｄ）関数は、除算演算の余りを付与する。例えば、８ｍｏｄ５は３である。本開示のさらなる詳細が下記に提供される。
【００７６】
[0062]干渉測定リソース（ＩＭＲ）のコンセプトは、ＵＥが干渉を測定するように構成され得る専用リソース要素に提供するためにＲｅｌ−１１に導入された。ＩＭＲは４つのリソース要素からなり得、それは、初期設定で、ＺＰ  ＣＳＩ−ＲＳリソースの４つのリソース要素から成る。１０の再利用因子は、単一のサブフレームにおけるＺＰ  ＣＳＩ−ＲＳリソースを用いて実現可能であるが、入念なネットワークプランニングに基づくＩＭＲｓの賢明な割り当てが重要であり得る。代替割り当てのアプローチは、複数のＺＰ  ＣＳＩ−ＲＳリソースに対して、疑似ランダム法で分散されるＩＭＲの４つのリソース要素を含み得る。再利用因子は、したがって、疑似ランダムに割り当てられたＩＭＲｓ間の最悪の場合の重複を抑制する一方で、劇的に増加し得る。その目的は、セルプランニングの必要性を避けるためである。
【００７７】
[0063]この疑似ランダム割り当てを実行する特定の方法が存在し得る。提案は、ＩＭＲの４つのリソース要素が２つのＺＰ−ＣＳＩ−ＲＳリソースにわたって分布され得ることとそれらのＺＰ  ＣＳＩ−ＲＳリソース内のリソースエレメント割り当てを疑似ランダムにしようとすることを提示した。下記に、どのように割り当てプロシージャが実行され得るかについてさらに詳述され得る。例えば、セルＩＤのいくつかの形式は、この疑似ランダム割り当てのための種（seed）としての役割を果たすために導入され得る。さらに、選択された２つのＺＰ−ＣＳＩ−ＲＳリソース内の割り当てが２つのリソース要素の最悪の場合の重複が満足されるためにどのように実行され得るか、の例が提供される。特に、下記の２つの階層のプロシージャは下記のとおりである。
【００７８】
階層１：１０個のＺＰ−ＣＳＩ−ＲＳリソースから２つを選出する。これは、全部で４５の異なる組み合わせをもたらす（１０Ｃ２（ten choose two））。
【００７９】
階層２：選択された２つのＺＰ  ＣＳＩ−ＲＳリソースによって定義された８つのリソース要素から４つのリソース要素を選出する。選択は、図４Ｂ−Ｃに示された１２個のパターンのうちの１つを選出することによって実行される。
【００８０】
[0064]パターン（例えば、図４Ｂ−Ｃに例示されたパターン１からパターン１２）は、任意の２つのパターンの間で、２つより多くないリソース要素が重複することを確実にする方法で構成される。実際に、図４Ｂ−Ｃにおける１２個のパターンがこの属性を満足することを理解するのは容易である。パターンの構成について、下記のアプローチが用いられ得る。単一のＺＰ  ＣＳＩ−ＲＳリソース（すなわち、各パターンの左側のグループ）に２つのリソース要素を割り当てる６個（すなわち、４Ｃ２（four choose two））の可能な道（way）から始めて、我々は、そのパターンを複製することによって奇数番号が付されたパターンを、および、それの反転されたパターンを用いて左側のパターンとグループにすることによって偶数番号が付されたパターンを構成す4る。これによって、２つより多くないリソース要素が重複するような、ＲＥｓを割り当てる全ての可能な道（way）を尽くす全部で１２個のパターンをもたらす。
【００８１】
[0065]この割り当てアプローチによって実現可能な再利用因子は、セルＩＤの累計を超える全部で５４０（＝４５×１２）パターンとなり、それは設計制約であり得る。したがって、こういったパラメータを明示的に導入するか、あるいは該パラメータをいくつかの既存の（仮想）セルＩＤ（例えば、ＮＺＰ  ＣＳＩ−ＲＳリソースのうちの１つと関連する仮想セルＩＤ）に結びつけることによって、「ＩＭＲセルＩＤ」のいくつかの形式に基づいてリソースの疑似ランダム割り当てを実行することは当然のことのようである。既定のセルＩＤｘ（０<＝ｘ<＝５０３の範囲を用いる）と仮定すると、ＲＥ割当ては下記の通り付与される。
【００８２】
階層１：１０個のリソースから２つの選択は、４５全ての組み合わせを列挙し、およびｆｌｏｏｒ（ｘ／１２）を用いて１つを選択することによって付与される。
【００８３】
階層２：階層２の一部として選択されたパターンのインデックスはｍｏｄ（ｘ、１２）によって付与される。
【００８４】
[0066]割り当てプロセスは、異なるセルＩＤを有する任意の２つのＩＭＲｓの間で重複する２つより多くないリソース要素（ＲＥｓ）の制約を満足することが理解され得る。これを理解するために、我々は下記の根拠を用いる。
【００８５】
[0067]階層１において選択された１０個のパターンからの２つが同じで無い場合、階層２のパターンにかかわらず、階層２のパターンのそれぞれがＺＰ  ＣＳＩ−ＲＳリソースのそれぞれにおける多くても２つのリソース要素を占めるので、２つより多くのリソース要素の重複はあり得ない。
【００８６】
[0068]階層１において選択された１０個のパターンからの２つが同じである場合、２つの階層２のパターンのいずれかのペアは、多くても２つのリソース要素（ＲＥｓ）の重複を持つので、制約はまた満足される。
【００８７】
[0069]本開示は、下記の提案を含む干渉測定リソース（ＩＭＲｓ）を割り当てるための技術および方法を提供する。疑似ランダムＩＭＲ割り当てプロシージャの採用はＩＭＲの割当てをいくつかの形式または（仮想）セルＩＤに結びつけることによってセルプランニングを回避し得る。ＩＭＲ  ＲＥｓの選択は、２つのリソース要素（ＲＥｓ）の最悪の場合の重複を確実にする上で概説された２段階のプロシージャに従って実行され得る。
【００８８】
[0070]図６を参照して、ここで説明された実施例の１つまたは複数の観点に従って、例えば、ＵＥ、端末、移動局、加入者ユニット、局、などのようなユーザエンティティによって動作可能な方法論６００が示される。特に、方法６００は、干渉リソースを測定するためにプロシージャを記載する。方法６００は、６０２において、少なくとも１つの識別子が、別の少なくとも１つの干渉測定リソースと部分的に重複する少なくとも１つの干渉測定リソースを、少なくとも部分的に決定する少なくとも１つの識別子を受信することを含み得る。例えば、少なくとも１つの干渉測定リソースは、リソース要素のセットからの多数のリソース要素を含み得る。方法６００は、６０４において、少なくとも１つの干渉測定リソースに少なくとも部分的に基づいて干渉を測定することを含み得る。
【００８９】
[0071]図７を参照すると、例えば、フェムトセル、マルコセル、ピコセル、などのようなネットワークエンティティによって動作可能な方法論７００が示される。特に、方法７００は、干渉測定リソースを割り当てるためのプロシージャを記載する。方法７００は、７０２において、少なくとも１つのモバイルエンティティにネットワークエンティティの識別子を伝送することを含み得、その識別子は、別の少なくとも１つの干渉測定リソースと部分的に重複する少なくとも１つの干渉測定リソースを少なくとも部分的に決定する。例えば、少なくとも１つの干渉測定リソースは、リソース要素のセットからの多数のリソース要素を含み得る。方法７００は、７０４において、少なくとも１つの干渉測定リソースに基づいて少なくとも１つのモバイルエンティティからチャネル状態情報（ＣＳＩ）報告を受信することを含み得る。
【００９０】
[0072]図８は、図６の方法論に従って、干渉リソースを測定するための装置の実施例を示す。図８を参照して、無線ネットワークにおけるユーザエンティティ（例えば、ＵＥ、端末、移動局、加入者ユニット、局、など）として、あるいはネットワークエンティティ内で使用するためのプロセッサあるいは類似のデバイス／コンポーネントとして構成され得る例示的な装置８００が提供される。例えば、装置８００は、図３のＵＥ１２０であり得るか、または該ＵＥ１２０を含み得る。装置８００は、プロセッサ、ソフトウェア、またはそれらの組み合わせ（例えば、ファームウェア）によって実装される機能を表し得る機能ブロックを含み得る。例えば、装置８００は、少なくとも１つの識別子を受信するための電気部品またはモジュール８０２を含み得、そこにおいて、その少なくとも１つの識別子は、別の少なくとも１つの干渉測定リソースと部分的に重複する少なくとも１つの干渉測定リソースを少なくとも部分的に決定する。例えば、電気部品またはモジュール８０２は、少なくとも１つの干渉測定リソースを受信するために構成され得、そこにおいて、少なくとも１つの干渉測定リソースは、リソース要素のセットからの多数のリソース要素を備える。電気部品またはモジュール８０２は、少なくとも１つの識別子を受信するための手段であり得るかまたは該手段を含み得、そこにおいて、少なくとも１つの識別子は、別の少なくとも１つの干渉測定リソースと部分的に重複する少なくとも１つの干渉測定リソースを少なくとも部分的に決定する。電気部品またはモジュール８０４は、アンテナ３５２ａから３５２ｒのうちの少なくとも１つ、または受信プロセッサ３５８および／またはプロセッサ３８０のうちのいずれかに結合されたアンテナ３５２ａから３５２ｒのうちの少なくとも１つであり得るか、あるいは該アンテナを含み得る。
【００９１】
[0073]装置８００は、少なくとも１つの干渉測定リソースに少なくとも部分的に基づいて干渉を測定するための電気部品またはモジュール８０４を含み得る。電気部品またはモジュール８０４は、少なくとも１つの干渉測定リソースに少なくとも部分的に基づいて干渉を測定するための手段であり得るか、あるいはその手段を含み得る。電気部品またはモジュール８０４は、アンテナ３５２ａから３５２ｒのうちの１つ、または受信プロセッサ３５８および／またはプロセッサ３８０のうちのいずれかに結合されたアンテナ３５２ａから３５２ｒのうちの少なくとも１つであり得るか、あるいは該アンテナを含み得る。
【００９２】
[0074]関連する観点において、装置８００は、プロセッサとしてよりむしろ、ユーザエンティティ（例えば、ＵＥ、端末、移動局、加入者ユニット、局、など）として構成された装置８００の場合において、少なくとも１つのプロセッサを有するプロセッサコンポーネント８５０を任意に含み得る。プロセッサ８５０は、こういった場合、バス８５２または類似の通信結合を介したコンポーネント８０２−８０４との動作通信状態にあり得る。プロセッサ８５０は、電気部品８０２−８０４によって実行される処理または機能の起動およびスケジューリングに影響を及ぼし得る。
【００９３】
[0075]さらに関連する観点において、装置８００は、無線トランシーバコンポーネント８５４を含み得る。スタンドアローン型受信機および／またはスタンドアローン型送信機は、トランシーバ８５４の代わりまたはそれと連結して用いられ得る。装置８００がネットワークエンティティである場合、装置８００はまた、１つまたは複数のコアネットワークエンティティに接続するためのネットワークインターフェース（不図示）を含み得る。装置８００は、例えば、メモリデバイス／コンポーネント８５６のような情報を格納するための、コンポーネントを任意に含み得る。コンピュータ可読媒体またはメモリコンポーネント８５６は、バス８５２などを介して装置８００の他のコンポーネントに動作可能に結合され得る。メモリコンポーネント８５６は、コンポーネント８０２−８０４、およびそれらのサブコンポーネント、またはプロセッサ８５０、またはここで開示された方法の処理と動作に影響を及ぼすためのコンピュータ可読命令およびデータを記憶するために適応され得る。メモリコンポーネント８５６は、コンポーネント８０２−８０４と関連する機能を実行するための命令を保持し得る。メモリ８５６の外部にあるように示されているが、コンポーネント８０２−８０４は、メモリ８５６内に存在し得ることが理解されるべきである。図８におけるコンポーネントは、プロセッサ、電子デバイス、ハードウェアデバイス、電子サブコンポーネント、論理回路、メモリ、ソフトウェアコード、ファームウェアコード、など、またはそれらの任意の組み合わせを備えることがさらに留意される。
【００９４】
[0076]図９は、図７の方法論に従って、干渉測定リソースを割り当てるための装置の実施例を示す。図９を参照して、無線ネットワークにおけるネットワークエンティティ（例えば、フェムトセル、マルコセル、ピコセル、など）として、あるいは、ネットワークエンティティ内で使用するためのプロセッサまたは類似のデバイス／コンポーネントとして構成され得る例示的な装置９００が提供される。例えば、装置９００は、図３の基地局１１０であり得るか、または該基地局１１０を含み得る。装置９００は、プロセッサ、ソフトウェア、またはそれらの組み合わせ（例えば、ファームウェア）によって実装される機能を表し得る機能ブロックを含み得る。例えば、装置９００は、少なくとも１つのモバイルエンティティにネットワークエンティティの識別子を伝送するための電気部品またはモジュール９０２を含み得、その識別子は、別の少なくとも１つの干渉測定リソースと部分的に重複する少なくとも１つの干渉測定リソースを少なくとも部分的に決定する。例えば、少なくとも１つの干渉測定リソースは、リソース要素のセットからの多数のリソース要素を含み得る。電気部品またはモジュール９０２は、少なくとも１つのモバイルエンティティにネットワークエンティティの識別子を伝送するための手段であり得るか、または該手段を含み得、その識別子は、別の少なくとも１つの干渉測定リソースと部分的に重複する少なくとも１つの干渉測定リソースを少なくとも部分的に決定する。電気部品またはモジュール９０２は、アンテナ３３４ａから３３４ｔのうちの１つ、または送信プロセッサ３２０および／またはプロセッサ３４０のうちのいずれかに結合されたアンテナ３３４ａから３３４ｔのうちの少なくとも１つであり得るか、あるいは該アンテナを含み得る。
【００９５】
[0077]装置９００は、少なくとも１つの干渉測定リソースに基づいて少なくとも１つのモバイルエンティティからチャネル状態情報（ＣＳＩ）報告を受信するための電気部品またはモジュール９０４を含み得る。電気部品またはモジュール９０４は、少なくとも１つの干渉測定リソースに基づいて少なくとも１つのモバイルエンティティからチャネル状態情報（ＣＳＩ）報告を受信するための手段であり得るか、または該手段を含み得る。電気部品またはモジュール９０４は、アンテナ３３４ａから３３４ｔのうちの少なくとも１つ、または送信プロセッサ３２０および／またはプロセッサ３４０のうちのいずれかに結合されたアンテナ３３４ａから３３４ｒのうちの少なくとも１つであり得るか、または該アンテナを含み得る。
【００９６】
[0078]関連する観点において、装置９００は、プロセッサとしてよりむしろ、ネットワークエンティティ（例えば、フェムトセル、マクロセル、ピコセル、など）として構成された装置９００の場合において、少なくとも１つのプロセッサを有するプロセッサコンポーネント９５０を任意に含み得る。プロセッサ９５０は、こういった場合、バス９５２または類似の通信結合を介したコンポーネント９０２−９０４との動作通信状態にあり得る。プロセッサ９５０は、電気部品９０２−９０４によって実行される処理または機能の起動およびスケジューリングに影響を及ぼし得る。
【００９７】
[0079]さらに関連する観点において、装置９００は、無線トランシーバコンポーネント９５４を含み得る。スタンドアローン型受信機および／またはスタンドアローン型送信機は、トランシーバ９５４の代わりまたはそれと連結して用いられ得る。装置９００がネットワークエンティティである場合、装置９００はまた、１つまたは複数のコアネットワークエンティティに接続するためのネットワークインターフェース（不図示）を含み得る。装置９００は、例えば、メモリデバイス／コンポーネント９５６のような情報を格納するための、コンポーネントを任意に含み得る。コンピュータ可読媒体またはメモリコンポーネント９５６は、バス９５２などを介して装置９００の他のコンポーネントに動作可能に結合され得る。メモリコンポーネント９５６は、コンポーネント９０２−９０４、およびそれらのサブコンポーネント、またはプロセッサ９５０、または本願に開示された方法の処理および動作に影響を及ぼすためのコンピュータ可読命令およびデータを記憶するために適応され得る。メモリコンポーネント９５６は、コンポーネント９０２−９０４と関連する機能を実行するための命令を保持し得る。メモリ９５６の外部にあるように示されているが、コンポーネント９０２−９０４は、メモリ９５６内に存在し得ることが理解されるべきである。図９におけるコンポーネントは、プロセッサ、電子デバイス、ハードウェアデバイス、電子サブコンポーネント、論理回路、メモリ、ソフトウェアコード、ファームウェアコード、など、またはそれらの任意の組み合わせを備えることがさらに留意される。
【００９８】
[0080]当業者は、情報と信号が、様々な異なる技術と技法のうちのいずれかを用いて表され得ることを理解するであろう。例えば、上記の説明を通じて言及され得るデータ、命令、コマンド、情報、信号、ビット、記号、およびチップは、電圧、電流、電磁波、磁場または磁性粒子、光場または工学粒子またはそれらの任意の組合せによって表され得る。
【００９９】
[0081]当業者はさらに、ここでの開示と関連して記載された種々の例示的な論理ブロック、調整、モジュール、回路、およびアルゴリズムステップは、電子ハードウェア、コンピュータソフトウェア、またはそれらの組合せとして実施され得ることをさらに理解するだろう。ハードウェアとソフトウェアのこの互換性を明示的に例示するために、様々な例示的なコンポーネント、ブロック、モジュール、回路、およびステップが、それらの機能の観点から一般に上記に説明されてきた。こういった機能が、ハードウェアまたはソフトウェアとして実装されるかどうかは、特定のアプリケーションおよび全体のシステムに課せられた設計の制約に依存する。当業者は、各特定のアプリケーションに関する様々な方法において、説明された機能を実施し得るが、こういった実施の決定は、本開示の範囲から逸脱をもたらすものとして解釈されるべきではない。
【０１００】
[0082]ここでの開示に関連して記載された種々の例示的な論理ブロック、モジュールおよび回路は、ここに記載された機能を実行するために設計された汎用目的プロセッサ、デジタル・信号・プロセッサ（ＤＳＰ）、アプリケ−ション特定用途向け集積回路（ＡＳＩＣ）、フィールド・プログラマブル・ゲート・アレイ（ＦＰＧＡ）または他のプログラム可能な論理デバイス、ディスクリートゲートまたはトランジスタ論理、ディスクリートハードウェアコンポーネント、またはそれらの任意の組み合わせを実装するか、あるいはそれらと共に実行され得る。汎用プロセッサは、マイクロプロセッサであり得るが、代替として、プロセッサは、従来のプロセッサ、コントローラ、マイクロコントローラ、またはステートマシーンのいずれかであり得る。プロセッサはまた、コンピューティングデバイスの組み合わせ、例えば、ＤＳＰとマイクロプロセッサの組合せ、複数のマイクロプロセッサ、ＤＳＰコアと連結する１つまた複数のマイクロプロセッサ、またはいずれ他のこういった構成として実装され得る。
【０１０１】
[0083]ここでの開示に関連して説明された方法またはアルゴリズムのステップは、ハードウェア、プロセッサによって実行されるソフトウェアモジュールまたはその２つの組合せにおいて直接具体化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブル・ディスク、ＣＤ−ＲＯＭ、または当技術分野において周知の記憶媒体の任意の他の形式に属し得る。例示的な記憶媒体は、プロセッサが記憶媒体から情報を読み出し、および記憶媒体へ情報を書き出し得るようにプロセッサに結合される。代わりに、記憶媒体は、プロセッサに統合され得る。プロセッサと記憶媒体は、ＡＳＩＣに属し得る。ＡＳＩＣは、計算デバイスまたはユーザ端末に属し得る。代わりに、プロセッサと記憶媒体は、計算デバイスまたはユーザ端末においてディスクリートコンポーネントとして属し得る。
【０１０２】
[0084]１つまたは複数の例示的な設計において、記載された機能は、ハードウェア、ソフトウェア、ファ−ムウェア、またはそれらの任意の組合せに実装され得る。ソフトウェアに実装される場合、機能は、コンピュータ可読媒体上の１つまた複数の命令またはコードとして記憶または送信され得る。コンピュータ可読媒体は、コンピュータ記憶媒体およびある場所から別の場所へコンピュータプログラムの転送を容易にする任意の媒体を含む通信媒体の両方を含む。記憶媒体は、汎用目的または特定目的コンピュータによってアクセスされ得る任意の入手可能な媒体であり得る。限定ではなく例として、こういったコンピュータ可読媒体は、命令またはデータ構造の形式で所望のプログラムコード化手段を搬送または記憶するために用いられ得および汎用目的または特定目的コンピュータまたは汎用目的または特定目的プロセッサによってアクセス可能なＲＡＭ、ＲＯＭ、ＥＥＰＲＯＭ、ＣＤ−ＲＯＭまたは他の光学ディスク記憶装置、磁気ディスク記憶装置、または他の磁気記憶デバイス、または任意の他の媒体を備えることができる。また、任意の接続は、適切に、コンピュータ可読媒体と呼ばれ得る。例えば、ソフトウェアが、同軸ケーブル、光ファイバーケーブル、ツイストペア、デジタル加入者線（ＤＳＬ）、または赤外線、無線およびマイクロ波のような無線技術を用いてウェブサイト、サーバ、または他の遠隔ソースから送信される場合、同軸ケーブル、光ファイバーケーブル、ツイストペア、ＤＳＬ、または赤外線、無線およびマイクロ波のような無線技術が、媒体の定義に含まれる。ここで用いられたようなディスク（ｄｉｓｋ）およびディスク（ｄｉｓｃ）は、コンパクトディスク（ＣＤ）、レーザーディスク（登録商標）、光学ディスク、デジタル多用途ディスク（ＤＶＤ）、フロッピー（登録商標）ディスク、およびＢｌｕｅ−ｒａｙ（登録商標）ディスクを含み、ここにおいて、ディスク（ｄｉｓｋ）が通常データを磁気的に再生する一方で、ディスク（ｄｉｓｃ）はレーザを用いて光学的にデータを再生する。上記の組み合わせはまた、コンピュータ可読媒体の範囲に含まれるべきである。
【０１０３】
[0085]開示の先の説明は、本開示を作成または使用することを当業者に可能にするために提供される。本開示への種々の変更は、当業者にとって容易に明らかであり、ここで定義された包括的な原則は、本開示の精神または範囲から逸脱することなく他の変形に適用され得る。従って、本開示は、ここに記載された例および設計に限定されるよう意図されることはないが、ここに開示された原則および新規事項に一致する最も広い範囲に許可されるべきである。
以下に、本願出願の当初の特許請求の範囲に記載された発明を付記する。
［Ｃ１］
無線通信の方法であって、
前記方法は、
少なくとも１つの識別子を受信すること、そこにおいて、前記少なくとも１つの識別子は、別の少なくとも１つの干渉測定リソースと部分的に重複する少なくとも１つの干渉測定リソースを少なくとも部分的に決定し、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定すること、
を備える、
方法。
［Ｃ２］
前記少なくとも１つの干渉測定リソースは、前記別の少なくとも１つの干渉測定リソースのリソース要素を伴って２つより多くないリソース要素によって重複する、［Ｃ１］に記載の方法。
［Ｃ３］
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
［Ｃ２］に記載の方法。
［Ｃ４］
前記干渉を前記測定することに基づいてチャネル状態情報（ＣＳＩ）報告を決定すること、
および
前記少なくとも１つの識別子と関連する少なくとも１つのネットワークエンティティに前記ＣＳＩ報告を送信すること、
をさらに備える、［Ｃ１］に記載の方法。
［Ｃ５］
前記少なくとも１つの識別子のそれぞれに関して、
各識別子に、少なくとも部分的に、基づいて、リソースブロックのセットから２つのリソースブロックを選択すること、
および
各識別子に、少なくとも部分的に、基づいて、前記２つのリソースブロックから４つのリソース要素を選択すること、そこにおいて、前記干渉を前記測定することは、前記４つのリソース要素に基づく、
をさらに備える、［Ｃ１］に記載の方法。
［Ｃ６］
前記リソース要素のセットは、ゼロ出力チャネル状態情報参照信号（ＺＰ  ＣＳＩ−ＲＳ）リソースと関連する、［Ｃ１］に記載の方法。
［Ｃ７］
前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、［Ｃ１］に記載の方法。
［Ｃ８］
既定のサブフレームにおける前記少なくとも１つの干渉測定リソースは、前記識別子と周波数ホッピングパターンの組み合わせに基づいて決定される、［Ｃ１］に記載の方法。
［Ｃ９］
無線通信装置であって、
少なくとも１つの識別子を受信する、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、および、前記少なくとも１つの干渉測定リソースに少なくとも部分的に基づいて干渉を測定する、ように構成された少なくとも１つのプロセッサ、
および
データを格納するために前記少なくとも１つのプロセッサに結合されたメモリ、
を備える、装置。
［Ｃ１０］
前記少なくとも１つの干渉測定リソースは、前記別の少なくとも１つの干渉測定リソースのリソース要素を伴って２つより多くないリソース要素によって重複する、［Ｃ９］に記載の装置。
［Ｃ１１］
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
［Ｃ１０］に記載の装置。
［Ｃ１２］
前記少なくとも１つのプロセッサは、前記干渉を前記測定することに基づいてチャネル状態情報（ＣＳＩ）報告を決定し、および前記少なくとも１つの識別子と関連する少なくとも１つのネットワークエンティティに前記ＣＳＩ報告を送信する、ようにさらに構成される、［Ｃ９］に記載の装置。
［Ｃ１３］
前記少なくとも１つのプロセッサは、前記少なくとも１つの識別子のそれぞれに関して、
各識別子に、少なくとも部分的に、基づいて、リソースブロックのセットから２つのリソースブロックを選択する、および、各識別子に、少なくとも部分的に、基づいて、前記２つのリソースブロックから４つのリソース要素を選択する、そこにおいて、前記干渉を前記測定することは、前記４つのリソース要素に基づく、
ようにさらに構成される、［Ｃ９］に記載の装置。
［Ｃ１４］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、［Ｃ９］に記載の装置。
［Ｃ１５］
無線通信装置であって、
少なくとも１つの識別子を受信するための手段、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定するための手段、
を備える、装置。
［Ｃ１６］
前記少なくとも１つの干渉測定リソースは、前記別の少なくとも１つの干渉測定リソースのリソース要素を伴って２つより多くないリソース要素によって重複する、［Ｃ１５］に記載の装置。
［Ｃ１７］
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
［Ｃ１６］に記載の装置。
［Ｃ１８］
前記干渉を前記測定することに基づいてチャネル状態情報（ＣＳＩ）報告を決定するための手段と、
および
前記少なくとも１つの識別子と関連する少なくとも１つのネットワークエンティティに前記ＣＳＩ報告を送信するための手段と、
をさらに備える、［Ｃ１５］に記載の装置。
［Ｃ１９］
各識別子に、少なくとも部分的に、基づいて、リソースブロックのセットから２つのリソースブロックを選択するための手段、
および、
前記２つのリソースブロックから４つのリソース要素を選択するための手段、そこにおいて、前記干渉を前記測定することは、前記４つのリソース要素に基づく、
をさらに備える、
［Ｃ１５］に記載の装置。
［Ｃ２０］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、［Ｃ１５］に記載の装置。
［Ｃ２１］
コンピュータプログラムプロダクトであって、
少なくとも１つの識別子を受信すること、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定すること、
を少なくとも１つのコンピュータにさせるためのコードを備えるコンピュータ可読媒体を備える、コンピュータプログラムプロダクト。
［Ｃ２２］
前記少なくとも１つの干渉測定リソースは、前記別の少なくとも１つの干渉測定リソースのリソース要素を伴って２つより多くないリソース要素によって重複する、［Ｃ２１］に記載のコンピュータプログラムプロダクト。
［Ｃ２３］
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
［Ｃ２２］に記載のコンピュータプログラムプロダクト。
［Ｃ２４］
前記コンピュータ可読媒体は、
前記干渉を前記測定することに基づいてチャネル状態情報（ＣＳＩ）報告を決定すること、
および
前記少なくとも１つの識別子と関連する少なくとも１つのネットワークエンティティに前記ＣＳＩ報告を送信すること、
を前記少なくとも１つのコンピュータにさせるためのコード、
をさらに備える、
［Ｃ２１］に記載のコンピュータプログラムプロダクト。
［Ｃ２５］
前記コンピュータ可読媒体は、
各識別子に、少なくとも部分的に、基づいて、リソースブロックのセットから２つのリソースブロックを選択すること、
および
前記２つのリソースブロックから４つのリソース要素を選択すること、そこにおいて、前記干渉を前記測定することは、前記４つのリソース要素に基づく、
を前記少なくとも１つのコンピュータにさせるためのコード、
をさらに備える、
［Ｃ２１］に記載のコンピュータプログラムプロダクト。
［Ｃ２６］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、［Ｃ２１］に記載のコンピュータプログラムプロダクト。
［Ｃ２７］
無線通信の方法であって、
前記方法は、
少なくとも１つのモバイルエンティティにネットワークエンティティの識別子を伝送すること、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに基づいて少なくとも１つのモバイルエンティティからチャネル状態情報（ＣＳＩ）報告を受信すること、
を備える、
方法。
［Ｃ２８］
前記少なくとも１つの干渉測定リソースは、別のネットワークエンティティの別の識別子によって決定された前記別の少なくとも１つの干渉測定リソースのリソース要素を伴って２つより多くないリソース要素によって重複する、［Ｃ２７］に記載の方法。
［Ｃ２９］
前記識別子に、少なくとも部分的に、基づいて、リソースブロックのセットから２つのリソースブロックを選択すること、
および
前記識別子に、少なくとも部分的に、基づいて、前記２つのリソースブロックから４つのリソース要素を選択すること、そこにおいて、前記受信されたＣＳＩ報告は前記４つのリソース要素にさらに基づく、
をさらに備える、［Ｃ２７］に記載の方法。
［Ｃ３０］
前記識別子は、列挙されたリソース割り当てのセットに基づいて少なくとも１つの干渉測定リソースを、少なくとも部分的に、決定する、［Ｃ２７］に記載の方法。
［Ｃ３１］
前記列挙されたリソース割り当てのセットは、サブパターンの繰り返しによって定義されたリソース割り当てを備える、［Ｃ３０］に記載の方法。
［Ｃ３２］
前記列挙されたリソース割り当てのセットは、サブパターンの反転によって定義されたリソース割り当てを備える、［Ｃ３０］に記載の方法。
［Ｃ３３］
前記少なくとも１つの識別子は、前記少なくとも１つの干渉測定リソースに関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、［Ｃ２７］に記載の方法。
［Ｃ３４］
前記リソース要素のセットは、ゼロ出力チャネル状態情報参照信号（ＺＰ  ＣＳＩ−ＲＳ）リソースと関連する、［Ｃ２７］に記載の方法。
［Ｃ３５］
無線通信装置であって、
少なくとも１つのモバイルエンティティにネットワークエンティティの識別子を伝送する、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、および、前記少なくとも１つの干渉測定リソースに基づいて少なくとも１つのモバイルエンティティからチャネル状態情報（ＣＳＩ）報告を受信する、ように構成された少なくとも１つのプロセッサ、
および、
データを格納するために前記少なくとも１つのプロセッサに結合されたメモリ、
を備える、装置。
［Ｃ３６］
前記少なくとも１つの干渉測定リソースは、別のネットワークエンティティの別の識別子によって決定された前記別の少なくとも１つの干渉測定リソースのリソース要素を伴って２つより多くないリソース要素によって重複する、［Ｃ３５］に記載の装置。
［Ｃ３７］
前記少なくとも１つのプロセッサは、
前記識別子に、少なくとも部分的に、基づいて、リソースブロックのセットから２つのリソースブロックを選択し、
および
前記２つのリソースブロックから４つのリソース要素を選択する、そこにおいて、前記受信されたＣＳＩ報告は前記４つのリソース要素にさらに基づく、
ようにさらに構成される、
［Ｃ３５］に記載の装置。
［Ｃ３８］
前記識別子は、列挙されたリソース割り当てのセットに基づいて少なくとも１つの干渉測定リソースを、少なくとも部分的に、決定する、［Ｃ３５］に記載の装置。
［Ｃ３９］
前記列挙されたリソース割り当てのセットは、サブパターンの繰り返しによって定義されたリソース割り当てを備える、［Ｃ３８］に記載の装置。
［Ｃ４０］
前記列挙されたリソース割り当てのセットは、サブパターンの反転によって定義されたリソース割り当てを備える、［Ｃ３８］に記載の装置。
［Ｃ４１］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、［Ｃ３５］に記載の装置。
［Ｃ４２］
無線通信装置であって、
少なくとも１つのモバイルエンティティにネットワークエンティティの識別子を伝送するための手段、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および、
前記少なくとも１つの干渉測定リソースに基づいて少なくとも１つのモバイルエンティティからチャネル状態情報（ＣＳＩ）報告を受信するための手段、
を備える、装置。
［Ｃ４３］
前記少なくとも１つの干渉測定リソースは、別のネットワークエンティティの別の識別子によって決定された前記別の少なくとも１つの干渉測定リソースのリソース要素を伴って２つより多くないリソース要素によって重複する、［Ｃ４２］に記載の装置。
［Ｃ４４］
前記識別子に、少なくとも部分的に、基づいて、リソースブロックのセットから２つのリソースブロックを選択するための手段、
および、
前記２つのリソースブロックから４つのリソース要素を選択するための手段、そこにおいて、前記受信されたＣＳＩ報告は前記４つのリソース要素にさらに基づく、
をさらに備える、［Ｃ４２］に記載の装置。
［Ｃ４５］
前記識別子は、列挙されたリソース割り当てのセットに基づいて少なくとも１つの干渉測定リソースを、少なくとも部分的に、決定する、［Ｃ４２］に記載の装置。
［Ｃ４６］
前記列挙されたリソース割り当てのセットは、サブパターンの繰り返しによって定義されたリソース割り当てを備える、［Ｃ４５］に記載の装置。
［Ｃ４７］
前記列挙されたリソース割り当てのセットは、サブパターンの反転によって定義されたリソース割り当てを備える、［Ｃ４５］に記載の装置。
［Ｃ４８］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、［Ｃ４２］に記載の装置。
［Ｃ４９］
コンピュータプログラムプロダクトであって、
ネットワークエンティティの識別子を少なくとも１つのモバイルエンティティに伝送すること、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および、
前記少なくとも１つの干渉測定リソースに基づいて少なくとも１つのモバイルエンティティからチャネル状態情報（ＣＳＩ）報告を受信すること、
を少なくとも１つのコンピュータにさせるためのコードを備えるコンピュータ可読媒体を備える、コンピュータプログラムプロダクト。
［Ｃ５０］
前記少なくとも１つの干渉測定リソースは、別のネットワークエンティティの別の識別子によって決定された前記別の少なくとも１つの干渉測定リソースのリソース要素を伴って２つより多くないリソース要素によって重複する、［Ｃ４９］に記載のコンピュータプログラムプロダクト。
［Ｃ５１］
前記コンピュータ可読媒体は、
前記識別子に、少なくとも部分的に基づいて、リソースブロックのセットから２つのリソースブロックを選択すること、
および、
前記２つのリソースブロックから４つのリソース要素を選択すること、そこにおいて、前記受信されたＣＳＩ報告は、前記４つのリソース要素にさらに基づく、
を前記少なくとも１つのコンピュータにさせるためのコードをさらに備える、
［Ｃ４９］に記載のコンピュータプログラムプロダクト。
［Ｃ５２］
前記識別子は、列挙されたリソース割り当てのセットに基づいて少なくとも１つの干渉測定リソースを、少なくとも部分的に、決定する、［Ｃ４９］に記載のコンピュータプログラムプロダクト。
［Ｃ５３］
前記列挙されたリソース割り当てのセットは、サブパターンの繰り返しによって定義されたリソース割り当てを備える、［Ｃ５２］に記載のコンピュータプログラムプロダクト。
［Ｃ５４］
前記列挙されたリソース割り当てのセットは、サブパターンの反転によって定義されたリソース割り当てを備える、［Ｃ５２］に記載のコンピュータプログラムプロダクト。
［Ｃ５５］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、［Ｃ４９］に記載のコンピュータプログラムプロダクト。
【図１】
2018129830.tif 000015
【図２】
2018129830.tif 000016
【図３】
2018129830.tif 000017
【図４Ａ】
2018129830.tif 000018
【図４Ｂ】
2018129830.tif 000019
【図４Ｃ】
2018129830.tif 000020
【図５Ａ】
2018129830.tif 000021
【図５Ｂ】
2018129830.tif 000022
【図５Ｃ】
2018129830.tif 000023
【図５Ｄ】
2018129830.tif 000024
【図５Ｅ】
2018129830.tif 000025
【図６】
2018129830.tif 000026
【図７】
2018129830.tif 000027
【図８】
2018129830.tif 000028
【図９】
2018129830.tif 000029
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
無線通信の方法であって、
前記方法は、
少なくとも１つのモバイルエンティティにネットワークエンティティの識別子を伝送すること、前記識別子は、別の少なくとも１つの干渉測定リソースと部分的に重複する少なくとも１つの干渉測定リソースを、少なくとも部分的に、決定し、前記少なくとも１つの干渉測定リソースは、リソース要素のセットからの多数のリソース要素を備える、と、
前記少なくとも１つの干渉測定リソースに基づいて少なくとも１つのモバイルエンティティからチャネル状態情報（ＣＳＩ）報告を受信することと
を備え、前記識別子は、前記少なくとも１つの干渉測定リソースに関連する仮想セルＩＤの１つであり、インデックスは、協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
方法。
【請求項２】
前記少なくとも１つの干渉測定リソースは、別のネットワークエンティティの別の識別子によって決定された前記別の少なくとも１つの干渉測定リソースのリソース要素を伴って２つより多くないリソース要素によって重複する、請求項１に記載の方法。
【請求項３】
前記識別子に、少なくとも部分的に、基づいて、リソースブロックのセットから２つのリソースブロックを選択することと、
前記識別子に、少なくとも部分的に、基づいて、前記２つのリソースブロックから４つのリソース要素を選択すること、ここにおいて、前記受信されたＣＳＩ報告は、前記４つのリソース要素にさらに基づく、と
をさらに備える、請求項１に記載の方法。
【請求項４】
前記識別子は、列挙されたリソース割り当てのセットに基づいて少なくとも１つの干渉測定リソースを、少なくとも部分的に、決定する、請求項１に記載の方法。
【請求項５】
前記列挙されたリソース割り当てのセットは、サブパターンの繰り返しによって定義されたリソース割り当てを備える、請求項４に記載の方法。
【請求項６】
前記列挙されたリソース割り当てのセットは、サブパターンの反転によって定義されたリソース割り当てを備える、請求項４に記載の方法。
【請求項７】
前記リソース要素のセットは、ゼロ出力チャネル状態情報参照信号（ＺＰ  ＣＳＩ−ＲＳ）リソースと関連する、請求項１に記載の方法。
【請求項８】
無線通信装置であって、
少なくとも１つのモバイルエンティティにネットワークエンティティの識別子を伝送すること、前記識別子は、別の少なくとも１つの干渉測定リソースと部分的に重複する少なくとも１つの干渉測定リソースを、少なくとも部分的に、決定し、前記少なくとも１つの干渉測定リソースは、リソース要素のセットからの多数のリソース要素を備える、と、
前記少なくとも１つの干渉測定リソースに基づいて少なくとも１つのモバイルエンティティからチャネル状態情報（ＣＳＩ）報告を受信することと
を行うように構成された少なくとも１つのプロセッサと、
データを格納するために前記少なくとも１つのプロセッサに結合されたメモリと
を備え、前記少なくとも１つの識別子は、前記少なくとも１つの干渉測定リソースに関連する仮想セルＩＤの１つであり、インデックスは、協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
無線通信装置。
【請求項９】
前記少なくとも１つの干渉測定リソースは、別のネットワークエンティティの別の識別子によって決定された前記別の少なくとも１つの干渉測定リソースのリソース要素を伴って２つより多くないリソース要素によって重複する、請求項８に記載の無線通信装置。
【請求項１０】
前記少なくとも１つのプロセッサは、
前記識別子に、少なくとも部分的に、基づいて、リソースブロックのセットから２つのリソースブロックを選択することと、
前記２つのリソースブロックから４つのリソース要素を選択すること、ここにおいて、前記受信されたＣＳＩ報告は、前記４つのリソース要素にさらに基づく、と
を行うようにさらに構成される、請求項８に記載の無線通信装置。
【請求項１１】
前記識別子は、列挙されたリソース割り当てのセットに基づいて少なくとも１つの干渉測定リソースを、少なくとも部分的に、決定する、請求項８に記載の無線通信装置。
【請求項１２】
前記列挙されたリソース割り当てのセットは、サブパターンの繰り返しによって定義されたリソース割り当てを備える、請求項１１に記載の無線通信装置。
【請求項１３】
前記列挙されたリソース割り当てのセットは、サブパターンの反転によって定義されたリソース割り当てを備える、請求項１１に記載の無線通信装置。
【請求項１４】
無線通信装置であって、
少なくとも１つのモバイルエンティティにネットワークエンティティの識別子を伝送するための手段、前記識別子は、別の少なくとも１つの干渉測定リソースと部分的に重複する少なくとも１つの干渉測定リソースを、少なくとも部分的に、決定し、前記少なくとも１つの干渉測定リソースは、リソース要素のセットからの多数のリソース要素を備える、と、
前記少なくとも１つの干渉測定リソースに基づいて少なくとも１つのモバイルエンティティからチャネル状態情報（ＣＳＩ）報告を受信するための手段と
を備え、前記少なくとも１つの識別子は、前記少なくとも１つの干渉測定リソースに関連する仮想セルＩＤの１つであり、インデックスは、協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
無線通信装置。
【請求項１５】
前記少なくとも１つの干渉測定リソースは、別のネットワークエンティティの別の識別子によって決定された前記別の少なくとも１つの干渉測定リソースのリソース要素を伴って２つより多くないリソース要素によって重複する、請求項１４に記載の無線通信装置。
【請求項１６】
前記識別子に、少なくとも部分的に、基づいて、リソースブロックのセットから２つのリソースブロックを選択するための手段と、
前記２つのリソースブロックから４つのリソース要素を選択するための手段、ここにおいて、前記受信されたＣＳＩ報告は、前記４つのリソース要素にさらに基づく、と
をさらに備える、請求項１４に記載の無線通信装置。
【請求項１７】
前記識別子は、列挙されたリソース割り当てのセットに基づいて少なくとも１つの干渉測定リソースを、少なくとも部分的に、決定する、請求項１４に記載の無線通信装置。
【請求項１８】
前記列挙されたリソース割り当てのセットは、サブパターンの繰り返しによって定義されたリソース割り当てを備える、請求項１７に記載の無線通信装置。
【請求項１９】
前記列挙されたリソース割り当てのセットは、サブパターンの反転によって定義されたリソース割り当てを備える、請求項１７に記載の無線通信装置。
【請求項２０】
コンピュータプログラムであって、
ネットワークエンティティの識別子を少なくとも１つのモバイルエンティティに伝送すること、前記識別子は、別の少なくとも１つの干渉測定リソースと部分的に重複する少なくとも１つの干渉測定リソースを、少なくとも部分的に、決定し、前記少なくとも１つの干渉測定リソースは、リソース要素のセットからの多数のリソース要素を備える、と、
前記少なくとも１つの干渉測定リソースに基づいて少なくとも１つのモバイルエンティティからチャネル状態情報（ＣＳＩ）報告を受信することと
を少なくとも１つのコンピュータに行わせるためのコードを備え、前記少なくとも１つの識別子は、前記少なくとも１つの干渉測定リソースに関連する仮想セルＩＤの１つであり、インデックスは、協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
コンピュータプログラム。
【請求項２１】
前記少なくとも１つの干渉測定リソースは、別のネットワークエンティティの別の識別子によって決定された前記別の少なくとも１つの干渉測定リソースのリソース要素を伴って２つより多くないリソース要素によって重複する、請求項２０に記載のコンピュータプログラム。
【請求項２２】
前記識別子に、少なくとも部分的に基づいて、リソースブロックのセットから２つのリソースブロックを選択することと、
前記２つのリソースブロックから４つのリソース要素を選択すること、ここにおいて、前記受信されたＣＳＩ報告は、前記４つのリソース要素にさらに基づく、と
を前記少なくとも１つのコンピュータに行わせるためのコードをさらに備える、
請求項２０に記載のコンピュータプログラム。
【請求項２３】
前記識別子は、列挙されたリソース割り当てのセットに基づいて少なくとも１つの干渉測定リソースを、少なくとも部分的に、決定する、請求項２０に記載のコンピュータプログラム。
【請求項２４】
前記列挙されたリソース割り当てのセットは、サブパターンの繰り返しによって定義されたリソース割り当てを備える、請求項２３に記載のコンピュータプログラム。
【請求項２５】
前記列挙されたリソース割り当てのセットは、サブパターンの反転によって定義されたリソース割り当てを備える、請求項２３に記載のコンピュータプログラム。